(57)【要約】  本願は、ＵＥのグループ共通ＰＤＣＣＨのブラインド検出回数が比較的多いことによりもたらされる電力消費が比較的大きいという既存の問題を解消すべく、情報伝送方法および装置を提供する。当該方法は、ネットワークデバイスが第１の情報を生成する段階と、ネットワークデバイスが、端末デバイスに第１の情報を送信する段階であって、ここで、当該第１の情報は、Ｎ個のコンポーネントキャリアＣＣの少なくとも１つのグループ共通ＰＤＣＣＨを検出するように、端末デバイスに命令するために用いられ、Ｎは正の整数でありＭより小さいまたはＭに等しく、Ｍは端末デバイス用に構成されるＣＣの数であり、Ｍは正の整数である、送信する段階とを含む。これに基づいて、第１の情報を受信した後、端末デバイスは、第１の情報に従って、Ｎ個のＣＣの少なくとも１つのグループ共通ＰＤＣＣＨを検出する。
2020533871.tif 000002
【特許請求の範囲】
【請求項１】
情報伝送方法であって、
ネットワークデバイスが第１の情報を生成する段階と、
前記ネットワークデバイスが、端末デバイスに前記第１の情報を送信する段階であって、前記第１の情報は、Ｎ個のコンポーネントキャリアＣＣの少なくとも１つのグループ共通物理ダウンリンク制御チャネルＰＤＣＣＨを検出するように、前記端末デバイスに命令するために用いられ、Ｎは正の整数でありＭより小さいまたはＭに等しく、Ｍは前記端末デバイス用に構成されるＣＣの数であり、Ｍは正の整数である、送信する段階と、
を備える、
方法。
【請求項２】
前記Ｎ個のＣＣは、前記端末デバイス用に構成される前記Ｍ個のＣＣ内にある、
請求項１に記載の方法。
【請求項３】
前記第１の情報は、前記Ｎ個のＣＣのインデックス値を有する、
請求項１または２に記載の方法。
【請求項４】
前記グループ共通ＰＤＣＣＨは、前記端末デバイス用に構成される前記Ｍ個のＣＣのグループユーザ機器ＵＥ共通情報を示すために用いられる、
請求項１から３の何れか一項に記載の方法。
【請求項５】
前記グループＵＥ共通情報は、時間領域ユニットフォーマット情報、グループＵＥ周波数領域リソース情報、およびプリエンプション指示情報のうち少なくとも１つを含む、
請求項４に記載の方法。
【請求項６】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項４または５に記載の方法。
【請求項７】
前記グループＵＥ共通情報は、前記Ｎ個のＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項１から６の何れか一項に記載の方法。
【請求項８】
前記ネットワークデバイスが前記第１の情報を端末デバイスに送信する前記段階は、
前記ネットワークデバイスが、ダウンリンク制御情報ＤＣＩシグナリング、無線リソース制御ＲＲＣシグナリング、またはセルブロードキャストシグナリングを用いて、前記第１の情報を前記端末デバイスに送信する段階を有する、
請求項１から７の何れか一項に記載の方法。
【請求項９】
情報伝送方法であって、
端末デバイスがネットワークデバイスにより送信された第１の情報を受信する段階であって、前記第１の情報は、Ｎ個のコンポーネントキャリアＣＣの少なくとも１つのグループ共通物理ダウンリンク制御チャネルＰＤＣＣＨを検出するように、前記端末デバイスに命令するために用いられ、Ｎは正の整数であり、Ｍより小さいまたはＭに等しく、Ｍは前記端末デバイス用に構成されるＣＣの数であり、Ｍは正の整数である、受信する段階と、前記端末デバイスが、前記第１の情報に従って、前記Ｎ個のＣＣの前記少なくとも１つのグループ共通物理ダウンリンク制御チャネルＰＤＣＣＨを検出する段階と、
を備える、
方法。
【請求項１０】
前記Ｎ個のＣＣは、前記端末デバイス用に構成される前記Ｍ個のＣＣ内にある、
請求項９に記載の方法。
【請求項１１】
前記第１の情報は、前記Ｎ個のＣＣのインデックス値を有する、
請求項９または１０に記載の方法。
【請求項１２】
前記グループ共通ＰＤＣＣＨは、前記端末デバイス用に構成される前記Ｍ個のＣＣのグループユーザ機器ＵＥ共通情報を示すために用いられ、
前記端末デバイスが、前記第１の情報に従って前記Ｎ個のＣＣの前記少なくとも１つのグループ共通ＰＤＣＣＨを検出する前記段階は、
前記Ｎ個のＣＣにおける前記端末デバイスが、前記第１の情報に従って、前記端末デバイス用に構成される前記Ｍ個のＣＣの前記グループＵＥ共通情報であって、前記少なくとも１つのグループ共通ＰＤＣＣＨで搬送される前記グループＵＥ共通情報を取得する段階を有する、
請求項９から１１の何れか一項に記載の方法。
【請求項１３】
前記グループＵＥ共通情報は、時間領域ユニットフォーマット情報、グループＵＥ周波数領域リソース情報、およびプリエンプション指示情報のうち少なくとも１つを含む、
請求項１２に記載の方法。
【請求項１４】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項１２または１３に記載の方法。
【請求項１５】
前記グループＵＥ共通情報は、前記少なくとも１つのＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループ共通ＰＤＣＣＨは、前記端末デバイスの識別情報を用いてスクランブルされる、
請求項９から１４の何れか一項に記載の方法。
【請求項１６】
端末デバイスが、ネットワークデバイスにより送信される第１の情報を受信する前記段階は、
前記端末デバイスが、前記ネットワークデバイスにより送信されるダウンリンク制御情報ＤＣＩシグナリングを受信する段階であって、前記ＤＣＩシグナリングは前記第１の情報を搬送する、受信する段階、または、
前記端末デバイスが、前記ネットワークデバイスにより送信される無線リソース制御ＲＲＣシグナリングを受信する段階であって、前記ＲＲＣシグナリングは前記第１の情報を搬送する、受信する段階、または、
前記端末デバイスが、前記ネットワークデバイスにより送信されるセルブロードキャストシグナリングを受信する段階であって、前記ＲＲＣシグナリングは前記第１の情報を搬送する、受信する段階
を有する、
請求項９から１５の何れか一項に記載の方法。
【請求項１７】
情報伝送方法であって、
ネットワークデバイスが、前記端末デバイス用に構成されるＭ個のコンポーネントキャリアＣＣのグループユーザ機器ＵＥ共通情報を生成する段階と、
前記ネットワークデバイスが、Ｎ個のコンポーネントキャリアＣＣの少なくとも１つのグループ共通物理ダウンリンク制御チャネルＰＤＣＣＨで、前記端末デバイス用に構成される前記Ｍ個のＣＣの前記グループＵＥ共通情報を前記端末デバイスに送信する段階であって、Ｎは正の整数であり、Ｍより小さいまたはＭに等しく、Ｍは正の整数である、送信する段階と
を備える、
方法。
【請求項１８】
前記Ｎ個のＣＣは、前記端末デバイス用に構成される前記Ｍ個のＣＣ内にある、
請求項１７に記載の方法。
【請求項１９】
前記方法はさらに、
前記ネットワークデバイスが第１の情報を送信する段階であって、前記第１の情報は、前記Ｎ個のＣＣの前記少なくとも１つのグループ共通ＰＤＣＣＨを検出するように、前記端末デバイスに命令するために用いられる、送信する段階を備える、
請求項１７または１８に記載の方法。
【請求項２０】
前記第１の情報は、前記Ｎ個のＣＣのインデックス値を有する、
請求項１９に記載の方法。
【請求項２１】
前記グループＵＥ共通情報は、前記少なくとも１つのＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項１９または２０に記載の方法。
【請求項２２】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項１９から２１の何れか一項に記載の方法。
【請求項２３】
前記ネットワークデバイスが第１の情報を前記端末デバイスに送信する前記段階は、
前記ネットワークデバイスが、ダウンリンク制御情報ＤＣＩシグナリング、無線リソース制御ＲＲＣシグナリング、またはセルブロードキャストシグナリングを用いて、前記第１の情報を前記端末デバイスに送信する段階を有する、
請求項１９から２２の何れか一項に記載の方法。
【請求項２４】
前記グループＵＥ共通情報は、時間領域ユニットフォーマット情報、グループＵＥ周波数領域リソース情報、およびプリエンプション指示情報のうち少なくとも１つを含む、
請求項１７から２３の何れか一項に記載の方法。
【請求項２５】
情報伝送方法であって、
端末デバイスが、Ｎ個のコンポーネントキャリアＣＣの少なくとも１つのグループ共通物理ダウンリンク制御チャネルＰＤＣＣＨを検出する段階であって、前記少なくとも１つのグループ共通ＰＤＣＣＨは、前記端末デバイス用に構成されるＭ個のＣＣのグループユーザ機器ＵＥ共通情報を示すために用いられ、Ｎは正の整数であり、Ｍより小さいまたはＭに等しく、Ｍは正の整数である、検出する段階と、
前記端末デバイスが、検出された前記少なくとも１つのグループ共通ＰＤＣＣＨで、前記端末デバイス用に構成される前記Ｍ個のＣＣの前記グループＵＥ共通情報を受信する段階と
を備える、方法。
【請求項２６】
前記Ｎ個のＣＣは、前記端末デバイス用に構成される前記Ｍ個のＣＣ内にある、
請求項２５に記載の方法。
【請求項２７】
端末デバイスが、Ｎ個のコンポーネントキャリアＣＣの少なくとも１つのグループ共通物理ダウンリンク制御チャネルＰＤＣＣＨを検出する前記段階の前に、前記方法はさらに、
前記端末デバイスが、前記ネットワークデバイスにより送信される第１の情報を受信する段階であって、前記第１の情報は、前記Ｎ個のＣＣの前記少なくとも１つのグループ共通ＰＤＣＣＨを検出するように、前記端末デバイスに命令するために用いられる、受信する段階
を備え、
端末デバイスが、Ｎ個のコンポーネントキャリアＣＣの少なくとも１つのグループ共通物理ダウンリンク制御チャネルＰＤＣＣＨを検出する前記段階は、
前記端末デバイスが、前記第１の情報に従って前記少なくとも１つのグループ共通ＰＤＣＣＨを前記Ｎ個のコンポーネントキャリアＣＣで検出する段階
を備える、
請求項２５または２６に記載の方法。
【請求項２８】
前記第１の情報は、前記Ｎ個のＣＣのインデックス値を有する、
請求項２７に記載の方法。
【請求項２９】
前記グループＵＥ共通情報は、前記Ｎ個のＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項２７または２８に記載の方法。
【請求項３０】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項２７から２９に記載の方法。
【請求項３１】
前記端末デバイスが、前記ネットワークデバイスにより送信される第１の情報を受信する前記段階は、
前記端末デバイスが、前記ネットワークデバイスにより送信されるダウンリンク制御情報ＤＣＩシグナリングを受信する段階であって、前記ＤＣＩシグナリングは前記第１の情報を搬送する、受信する段階、または、
前記端末デバイスが、前記ネットワークデバイスにより送信される無線リソース制御ＲＲＣシグナリングを受信する段階であって、前記ＲＲＣシグナリングは前記第１の情報を搬送する、受信する段階、または、
前記端末デバイスが、前記ネットワークデバイスにより送信されるセルブロードキャストシグナリングを受信する段階であって、前記ＲＲＣシグナリングは前記第１の情報を搬送する、受信する段階
を有する、
請求項２７から３０の何れか一項に記載の方法。
【請求項３２】
前記グループＵＥ共通情報は、時間領域ユニットフォーマット情報、グループＵＥ周波数領域リソース情報、およびプリエンプション指示情報のうち少なくとも１つを含む、
請求項２５から３１の何れか一項に記載の方法。
【請求項３３】
トランシーバ、プロセッサ、およびメモリを備えるネットワークデバイスであって、
前記メモリは、ソフトウェアプログラムを記憶するように構成され、
前記トランシーバは、データの送信および受信を行うように構成され、
前記プロセッサは、前記メモリに記憶される前記ソフトウェアプログラムの呼び出および実行を行い、前記トランシーバを用いてデータの受信および送信を行い、
請求項１から８、および請求項１７から２４の何れか一項に記載の方法を実装するように構成される、ネットワークデバイス。
【請求項３４】
トランシーバ、プロセッサ、およびメモリを備える端末デバイスであって、
前記メモリは、ソフトウェアプログラムを記憶するように構成され、
前記トランシーバは、データの送信および受信を行うように構成され、
前記プロセッサは、前記メモリに記憶される前記ソフトウェアプログラムの呼び出および実行を行い、前記トランシーバを用いてデータの受信および送信を行い、請求項９から１６、および請求項２５から３２の何れか一項に記載の方法を実装するように構成される、
端末デバイス。
【請求項３５】
メモリに接続され、前記メモリに記憶されるソフトウェアプログラムの読み込みおよび実行を行って、請求項１から３２の何れか一項に記載の方法を実装するように構成される、
チップ。
【発明の詳細な説明】
【技術分野】
【０００１】
本願は、通信技術分野、とりわけ、情報伝送方法および装置に関する。
【背景技術】
【０００２】
５Ｇ新無線（ｎｅｗ  ｒａｄｉｏ，ＮＲ）システムにおいて、システム帯域幅は、複数のコンポーネントキャリア（ｃａｒｒｉｅｒ  ｃｏｍｐｏｎｅｎｔ，ＣＣ）に分割され得て、ネットワークデバイスが、各ＣＣのユーザ機器（ｕｓｅｒ  ｅｑｕｉｐｍｅｎｔ，ＵＥ）に、ＣＣに対応するグループ共通（ｇｒｏｕｐ  ｃｏｍｍｏｎ）物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）を伝送する。ＵＥグループ（ｇｒｏｕｐ）に含まれるＵＥの共通（ｃｏｍｍｏｎ）情報、すなわち、グループＵＥ共通情報（ｇｒｏｕｐ  ＵＥ  ｃｏｍｍｏｎ  ｉｎｆｏｒｍａｔｉｏｎ）を示すべく、グループ共通ＰＤＣＣＨが用いられる。基地局の全てのＵＥは、１つのＵＥグループを形成し得るか、または基地局の全てのＵＥは、複数のＵＥグループに分割され得る。
【０００３】
従来技術において、共通の情報を取得すべく、ＵＥは、ＵＥ用に構成されるＣＣのグループＵＥ共通情報を取得するために、各ＣＣのグループ共通ＰＤＣＣＨを検出し、比較的多くのグループ共通ＰＤＣＣＨの検出回数と、比較的大きい電力消費とをもたらす必要がある。
【発明の概要】
【０００４】
本願は、ＵＥのグループ共通ＰＤＣＣＨのブラインド検出回数が比較的多いことによりもたらされる電力消費が比較的大きいという既存の問題を解消すべく、情報伝送方法および装置を提供する。
【０００５】
第１の態様によると、本願の実施形態は情報伝送方法を提供し、当該方法は、ネットワークデバイスが第１の情報を生成する段階と、ネットワークデバイスが、端末デバイスに第１の情報を送信する段階であって、ここで、当該第１の情報は、Ｎ個のコンポーネントキャリアＣＣの少なくとも１つのグループ共通ＰＤＣＣＨを検出するように、端末デバイスに命令するために用いられ、Ｎは正の整数でありＭより小さいまたはＭに等しく、Ｍは端末デバイス用に構成されるＣＣの数であり、Ｍは正の整数である、送信する段階とを含む。これに基づいて、第１の情報を受信した後、端末デバイスは、第１の情報に従って、Ｎ個のＣＣの少なくとも１つのグループ共通ＰＤＣＣＨを検出する。端末デバイスは、ネットワークデバイスにより示される固定ＣＣのグループ共通ＰＤＣＣＨを検出するので、検出回数を低減し、端末デバイスの電力消費を低減する。
【０００６】
ＮがＭに等しい場合、Ｍ個のＣＣの全てで伝送されるグループ共通ＰＤＣＣＨは、同じグループＵＥ共通情報を搬送し、言い換えれば、端末デバイスは、Ｎ個のコンポーネントキャリアＣＣのいずれか１つの少なくとも１つのグループ共通ＰＤＣＣＨを検出するように命令され、その結果、端末デバイスが、任意のＣＣのグループ共通ＰＤＣＣＨを検出することを選択し、グループ共通ＰＤＣＣＨでグループＵＥ共通情報を受信し得ることを注意されたい。
【０００７】
可能な設計において、Ｎ個のＣＣは、端末デバイス用に構成されるＭ個のＣＣ内にある。これに基づいて、端末デバイスは、構成されるＭ個のＣＣ内のＮ個のＣＣのグループ共通ＰＤＣＣＨを検出し、端末デバイス用に構成されていないＣＣを端末デバイスが検出する場合にもたらされる電力消費の増加を回避し得る。
【０００８】
可能な設計において、第１の情報は、Ｎ個のＣＣのインデックス値を含む。上述の設計において、ネットワークデバイスは、少なくとも１つのグループ共通ＰＤＣＣＨが検出されるＮ個のＣＣのインデックス値を示し、その結果、端末デバイスは、当該インデックス値に基づいて、少なくとも１つのグループ共通ＰＤＣＣＨが検出されるＣＣを決定する故に簡単かつ効果的な方式を提供する。
【０００９】
可能な設計において、グループ共通ＰＤＣＣＨは、端末デバイス用に構成されるＭ個のＣＣのグループユーザ機器ＵＥ共通情報を示すために用いられる。グループＵＥ共通情報は、時間領域ユニットフォーマット情報、グループＵＥ周波数領域リソース情報、およびプリエンプション指示情報のうち少なくとも１つを含み得る。
【００１０】
上述の設計において、ネットワークデバイスは、グループ共通ＰＤＣＣＨを用いて、端末デバイス用に構成されるＭ個のＣＣのグループＵＥ共通情報を示し、その結果、端末デバイスは、後続のデータ伝送に用いられる時間周波数領域リソースを決定する。
【００１１】
可能な設計において、第１の情報は、端末デバイス用に構成されるＭ個のＣＣのインデックス値と、Ｎ個のＣＣのインデックス値と、グループＵＥ共通情報におけるフィールドとの間の対応関係を含んでもよく、当該第１の情報は、端末デバイス用に構成されるＭ個のＣＣのインデックス値と、Ｎ個のＣＣのインデックス値と、グループＵＥ共通情報とにおけるフィールドと、グループＵＥ共通情報のスクランブリングに用いられる識別情報との間の対応関係を含んでもよい。
【００１２】
上述の設計において、第１の情報を用いて、端末デバイスは、グループ共通ＰＤＣＣＨが検出されるＣＣを決定し、端末デバイス用に構成される特定のＣＣに対応するグループＵＥ共通情報が取得される、検出されたグループ共通ＰＤＣＣＨで搬送されるグループＵＥ共通情報から、対応するフィールドを決定し得る。
【００１３】
可能な設計において、グループＵＥ共通情報は、Ｎ個のＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。上述の設計において、グループＵＥ共通情報は、対応する識別情報を用いてスクランブルされ、その結果、当該端末デバイスは、対応する識別情報を用いて対応するグループＵＥ共通情報をデスクランブルし得る。
【００１４】
可能な設計において、ネットワークデバイスは、ネットワークデバイスが、ダウンリンク制御情報ＤＣＩシグナリング、無線リソース制御ＲＲＣシグナリングまたはセルブロードキャストシグナリングを用いて端末デバイスに第１の情報を送信する段階という特定の方式で端末デバイスに第１の情報を送信し得る。
【００１５】
第２の態様によると、本願の実施形態は情報伝送方法を提供し、当該方法は、端末デバイスがネットワークデバイスにより送信された第１の情報を受信する段階であって、ここで、当該第１の情報は、Ｎ個のコンポーネントキャリアＣＣの少なくとも１つのグループ共通物理ダウンリンク制御チャネルＰＤＣＣＨを検出するように、端末デバイスに命令するために用いられ、Ｎは正の整数であり、Ｍより小さいまたはＭに等しく、Ｍは端末デバイス用に構成されるＣＣの数であり、Ｍは正の整数である、受信する段階と、端末デバイスが、第１の情報に従って、Ｎ個のＣＣの少なくとも１つのグループ共通物理ダウンリンク制御チャネルＰＤＣＣＨを検出する段階とを含む。
【００１６】
上述の設計を用いることにより、端末デバイスは、ネットワークデバイスにより示される固定ＣＣのグループ共通ＰＤＣＣＨを検出するので、検出回数を低減し、端末デバイスの電力消費を低減する。
【００１７】
可能な設計において、Ｎ個のＣＣは、端末デバイス用に構成されるＭ個のＣＣ内にある。これに基づいて、端末デバイスは、構成されるＭ個のＣＣ内のＮ個のＣＣのグループ共通ＰＤＣＣＨを検出し、端末デバイス用に構成されていないＣＣを端末デバイスが検出する場合にもたらされる電力消費の増加を回避し得る。
【００１８】
可能な設計において、第１の情報は、Ｎ個のＣＣのインデックス値を含む。上述の設計において、ネットワークデバイスは、少なくとも１つのグループ共通ＰＤＣＣＨが検出されるＮ個のＣＣのインデックス値を示し、その結果、端末デバイスは、当該インデックス値に基づいて、少なくとも１つのグループ共通ＰＤＣＣＨが検出されるＣＣを決定する故に簡単かつ効果的な方式を提供する。
【００１９】
可能な設計において、グループ共通ＰＤＣＣＨは、端末デバイス用に構成されるＭ個のＣＣのグループユーザ機器ＵＥ共通情報を示すために用いられ、端末デバイスは、Ｎ個のＣＣにおける端末デバイスが、第１の情報に従って、端末デバイス用に構成されるＭ個のＣＣのグループＵＥ共通情報であって、少なくとも１つのグループ共通ＰＤＣＣＨで搬送されるグループＵＥ共通情報を取得する段階といった方式における第１の情報に従ってＮ個のＣＣの少なくとも１つのグループ共通ＰＤＣＣＨを検出し得る。グループＵＥ共通情報は、時間領域ユニットフォーマット情報、グループＵＥ周波数領域リソース情報、およびプリエンプション指示情報のうち少なくとも１つを含む。上述の設計において、ネットワークデバイスは、グループ共通ＰＤＣＣＨを用いて、端末デバイス用に構成されるＭ個のＣＣのグループＵＥ共通情報を示し、その結果、端末デバイスは、後続のデータ伝送に用いられる時間周波数領域リソースを決定する。
【００２０】
可能な設計において、第１の情報は、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループ共通ＰＤＣＣＨのスクランブリングに用いられる識別情報との間の対応関係を含む。
【００２１】
上述の設計において、第１の情報を用いて、端末デバイスは、グループ共通ＰＤＣＣＨが検出されるＣＣを決定し、端末デバイス用に構成される特定のＣＣに対応するグループＵＥ共通情報が取得される、検出されたグループ共通ＰＤＣＣＨで搬送されるグループＵＥ共通情報から、対応するフィールドを決定し得る。
【００２２】
可能な設計において、グループＵＥ共通情報は、少なくとも１つのＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。上述の設計において、グループＵＥ共通情報は、対応する識別情報を用いてスクランブルされ、その結果、当該端末デバイスは、対応する識別情報を用いて対応するグループＵＥ共通情報をデスクランブルし得る。
【００２３】
可能な設計において、端末デバイスは、端末デバイスが、ネットワークデバイスにより送信されるダウンリンク制御情報ＤＣＩシグナリングを受信する段階であって、ここで、当該ＤＣＩシグナリングは第１の情報を搬送する、受信する段階、または、端末デバイスが、ネットワークデバイスにより送信される無線リソース制御ＲＲＣシグナリングを受信する段階であって、ここで、当該ＲＲＣシグナリングは第１の情報を搬送する、受信する段階、または、端末デバイスが、ネットワークデバイスにより送信されるセルブロードキャストシグナリングを受信する段階であって、ここで、当該ＲＲＣシグナリングは第１の情報を搬送する、受信する段階といった特定の方式で、ネットワークデバイスにより送信された第１の情報を受信し得る。
【００２４】
第３の態様によると、本願の実施形態は情報伝送方法を提供し、当該方法は、ネットワークデバイスが、端末デバイス用に構成されるＭ個のコンポーネントキャリアＣＣのグループユーザ機器ＵＥ共通情報を生成する段階と、ネットワークデバイスが、Ｎ個のコンポーネントキャリアＣＣの少なくとも１つのグループ共通物理ダウンリンク制御チャネルＰＤＣＣＨで、端末デバイス用に構成されるＭ個のＣＣのグループＵＥ共通情報を端末デバイスに送信する段階であって、ここで、Ｎは正の整数であり、Ｍより小さいまたはＭに等しく、Ｍは正の整数である、送信する段階とを含む。
【００２５】
上述の設計を用いることにより、ネットワークデバイスは、Ｎ個のＣＣの少なくとも１つのグループ共通ＰＤＣＣＨで、端末デバイス用に構成されるＭ個のＣＣのグループＵＥ共通情報を端末デバイスに送信し、その結果、端末デバイスは、Ｎ個のＣＣの少なくとも１つのグループ共通ＰＤＣＣＨで、ネットワークデバイスにより送信されるグループＵＥ共通情報を受信し、それにより端末デバイスのブラインド検出回数を低減する。
【００２６】
ＮがＭに等しい場合、Ｍ個のＣＣの全てで伝送されるグループ共通ＰＤＣＣＨは、同じグループＵＥ共通情報を搬送し、言い換えれば、端末デバイスは、Ｎ個のコンポーネントキャリアＣＣのいずれか１つの少なくとも１つのグループ共通ＰＤＣＣＨを検出するように構成され得て、その結果、端末デバイスが、任意のＣＣのグループ共通ＰＤＣＣＨを検出することを選択し、グループ共通ＰＤＣＣＨでグループＵＥ共通情報を受信し得ることを注意されたい。
【００２７】
可能な設計において、Ｎ個のＣＣは、端末デバイス用に構成されるＭ個のＣＣ内にある。
【００２８】
可能な設計において、ネットワークデバイスおよび端末デバイスは、グループＵＥ共通情報を搬送するために用いられるグループ共通ＰＤＣＣＨが送信されるＣＣおよび端末デバイスを、静的構成方式で決定し得る。
【００２９】
別の実行可能な設計において、ネットワークデバイスはさらに、端末デバイスに対する構成を半静的方式で実行し得て、その結果、当該方法はさらに、ネットワークデバイスが第１の情報を送信する段階であって、ここで、当該第１の情報は、Ｎ個のＣＣの少なくとも１つのグループ共通ＰＤＣＣＨを検出するように、端末デバイスに命令するために用いられる、送信する段階を含み得る。
【００３０】
可能な設計において、第１の情報は、Ｎ個のＣＣのインデックス値を含む。
【００３１】
可能な設計において、グループＵＥ共通情報は、少なくとも１つのＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。
【００３２】
可能な設計において、第１の情報はさらに、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含み得る。
【００３３】
可能な設計において、ネットワークデバイスが端末デバイスに第１の情報を送信する段階は、ネットワークデバイスが、ダウンリンク制御情報ＤＣＩシグナリング、無線リソース制御ＲＲＣシグナリングまたはセルブロードキャストシグナリングを用いて端末デバイスに第１の情報を送信する段階を含み得る。
【００３４】
可能な設計において、グループＵＥ共通情報は、時間領域ユニットフォーマット情報、グループＵＥ周波数領域リソース情報、およびプリエンプション指示情報のうち少なくとも１つを含む。
【００３５】
第４の態様によると、本願の実施形態は情報伝送方法を提供し、当該方法は、端末デバイスが、Ｎ個のコンポーネントキャリアＣＣの少なくとも１つのグループ共通物理ダウンリンク制御チャネルＰＤＣＣＨを検出する段階であって、ここで、当該少なくとも１つのグループ共通ＰＤＣＣＨは、端末デバイス用に構成されるＭ個のＣＣのグループユーザ機器ＵＥ共通情報を示すために用いられ、Ｎは正の整数であり、Ｍより小さいまたはＭに等しく、Ｍは正の整数である、検出する段階と、端末デバイスが、検出された少なくとも１つのグループ共通ＰＤＣＣＨで、端末デバイス用に構成されるＭ個のＣＣのグループＵＥ共通情報を受信する段階とを含む。
【００３６】
グループＵＥ共通情報は、時間領域ユニットフォーマット情報、グループＵＥ周波数領域リソース情報、およびプリエンプション指示情報のうち少なくとも１つを含み得る。
【００３７】
可能な設計において、Ｎ個のＣＣは、端末デバイス用に構成されるＭ個のＣＣ内にある。
【００３８】
可能な設計において、ネットワークデバイスおよび端末デバイスは、グループＵＥ共通情報を搬送するために用いられるグループ共通ＰＤＣＣＨが送信される特定のＣＣおよび端末デバイスを、静的構成方式で決定し得る。
【００３９】
別の実行可能な設計において、ネットワークデバイスは、端末デバイスに対する構成を半静的方式で実行し得る。従って、端末デバイスがＮ個のコンポーネントキャリアＣＣの少なくとも１つのグループ共通物理ダウンリンク制御チャネルＰＤＣＣＨを検出する前に、端末デバイスは、ネットワークデバイスにより送信される第１の情報を受信し、ここで、第１の情報は、Ｎ個のＣＣの少なくとも１つのグループ共通ＰＤＣＣＨを検出するように、端末デバイスに命令するために用いられ、端末デバイスは、第１の情報に従ってＮ個のコンポーネントキャリアＣＣの少なくとも１つのグループ共通ＰＤＣＣＨを検出する。
【００４０】
可能な設計において、第１の情報は、Ｎ個のＣＣのインデックス値を含む。
【００４１】
可能な設計において、グループＵＥ共通情報は、Ｎ個のＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。
【００４２】
可能な設計において、第１の情報はさらに、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含み得る。
【００４３】
可能な設計において、端末デバイスが、ネットワークデバイスにより送信された第１の情報を受信することは、端末デバイスが、ネットワークデバイスにより送信されるダウンリンク制御情報ＤＣＩシグナリングを受信する段階であって、ここで、当該ＤＣＩシグナリングは第１の情報を搬送する、受信する段階、または、端末デバイスが、ネットワークデバイスにより送信される無線リソース制御ＲＲＣシグナリングを受信する段階であって、ここで、当該ＲＲＣシグナリングは第１の情報を搬送する、受信する段階、または、端末デバイスが、ネットワークデバイスにより送信されるセルブロードキャストシグナリングを受信する段階であって、ここで、当該ＲＲＣシグナリングは第１の情報を搬送する、受信する段階を含む。
【００４４】
第５の態様によると、ネットワークデバイスの構造は、生成ユニットと送信ユニットとを含み得て、ユニットは、第１の態様または第３の態様の設計例のいずれか１つの対応する機能を実行し得る。詳細については、方法例の詳細な説明を参照されたい。ここで詳細について再度説明はしない。
【００４５】
ネットワークデバイスの挙動がハードウェアにより実装される場合、ネットワークデバイスの構造は、トランシーバ、プロセッサおよびメモリを含み、トランシーバは、端末デバイスとの通信インタラクションを実行するように構成され、プロセッサは、第１の態様または第３の態様に説明される方法の対応する機能をネットワークデバイスが実行することをサポートするように構成される。メモリは、プロセッサに連結され、メモリは、ネットワークデバイスに必要なプログラム命令およびデータを記憶する。具体的には、プロセッサはメモリに記憶されたソフトウェアプログラムの呼び出しおよび実行を行い、トランシーバを用いてデータの受信および送信を行い、第１の態様または第３の態様の任意の設計による方法を実装するように構成される。
【００４６】
第６の態様によると、端末デバイスの構造は、受信ユニットと検出ユニットとを含み得て、ユニットは、第２の態様または第４の態様の設計例のいずれか１つの対応する機能を実行し得る。詳細については、方法例の詳細な説明を参照されたい。ここで詳細について再度説明はしない。
【００４７】
端末デバイスの挙動がハードウェアにより実装される場合、端末デバイスの構造は、トランシーバ、プロセッサおよびメモリを含み、トランシーバは、基地局との通信インタラクションを実行するように構成され、プロセッサは、第２の態様または第４の態様に説明される方法の対応する機能を端末デバイスが実行することをサポートするように構成される。メモリは、プロセッサに連結され、メモリは、端末デバイスに必要なプログラム命令およびデータを記憶する。具体的には、プロセッサはメモリに記憶されたソフトウェアプログラムの呼び出しおよび実行を行い、トランシーバを用いてデータの受信および送信を行い、第２の態様または第４の態様の任意の設計による方法を実装するように構成される。
【００４８】
第７の態様によると、本願の実施形態は、コンピュータ記憶媒体をさらに提供し、当該記憶媒体は、ソフトウェアプログラムを記憶する。１つまたは複数のプロセッサにより読み込まれ実行される場合、ソフトウェアプログラムは、第１の態様から第４の態様のいずれかの態様の任意の設計による方法を実装し得る。
【００４９】
第８の態様によると、本願の実施形態は、命令を含むコンピュータプログラムプロダクトを提供し、当該コンピュータプログラムプロダクトがコンピュータで実行される場合、当該コンピュータは、第１の態様から第４の態様の任意の設計による方法を実行する。
【００５０】
第９の態様によると、本願の実施形態はチップを提供し、当該チップはメモリに接続され、メモリに記憶されるソフトウェアプログラムの読み込みと実行とを行って、第１の態様から第４の態様の任意の設計による方法を実装するように構成される。
【００５１】
第１の０態様によると、本願の実施形態はシステムを提供し、当該システムは、第５の態様によるネットワークデバイスと第６の態様による端末デバイスとを含む。
【図面の簡単な説明】
【００５２】
【図１】本願の実施形態に係るＮＲシステムアーキテクチャの概略図である。
【００５３】
【図２】本願の実施形態に係るタイムスロットの概略図である。
【００５４】
【図３】本願の実施形態に係る情報伝送方法のフローチャートである。
【００５５】
【図４】本願の実施形態に係るＣＣ構成方式の第１の概略図である。
【００５６】
【図５】本願の実施形態に係るＣＣ構成方式の第２の概略図である。
【００５７】
【図６】本願の実施形態に係るＣＣ構成方式の第３の概略図である。
【００５８】
【図７】本願の実施形態に係るＣＣ構成方式の第４の概略図である。
【００５９】
【図８】本願の実施形態に係るＣＣ構成方式の第５の概略図である。
【００６０】
【図９】本願の実施形態に係るＣＣ構成方式の第６の概略図である。
【００６１】
【図１０】本願の実施形態に係る情報伝送方法のフローチャートである。
【００６２】
【図１１】本願の実施形態に係るネットワークデバイスの概略構造図である。
【００６３】
【図１２】本願の実施形態に係る別のネットワークデバイスの概略構造図である。
【００６４】
【図１３】本願の実施形態に係るさらに別のネットワークデバイスの概略構造図である。
【００６５】
【図１４】本願の実施形態に係る端末デバイスの概略構造図である。
【００６６】
【図１５】本願の実施形態に係る別の端末デバイスの概略構造図である。
【００６７】
【図１６】本願の実施形態に係るさらに別の端末デバイスの概略構造図である。
【発明を実施するための形態】
【００６８】
本願の実施形態は、新無線（英語：Ｎｅｗ  ｒａｄｉｏ，略してＮＲ）システムなどの、アップリンク制御シグナリングが伝送され得る通信システムに適用され得るが、それに限定されるものではない。ＮＲシステムに適用され得るアーキテクチャは図１に示され、当該ＮＲシステムは基地局と端末デバイスとを含み、アップリンク伝送とダウンリンク伝送とが基地局と端末デバイスとの間で実行される。
【００６９】
本願の実施形態は、キャリアアグリゲーション（ｃａｒｒｉｅｒ  ａｇｇｒｅｇａｔｉｏｎ，ＣＡ）シナリオまたはデュアルコネクティビティ（ｄｕａｌ−ｃｏｎｎｅｃｔｉｖｉｔｙ，ＤＣ）シナリオに適用され得る。
【００７０】
後続の説明を容易にすべく、以下では、当業者の理解を容易にするために本願におけるいくつかの用語を説明する。
【００７１】
グループ共通ＰＤＣＣＨ（ｇｒｏｕｐ  ｃｏｍｍｏｎ  ＰＤＣＣＨ）はＵＥのグループ用であり、ＵＥのグループの共通の情報、すなわち、グループＵＥ共通情報（ｇｒｏｕｐ  ＵＥ  ｃｏｍｍｏｎ  ｉｎｆｏｒｍａｔｉｏｎ）を示すために用いられる。
【００７２】
グループ共通ＰＤＣＣＨは、複数のフィールドを含む。各フィールドは、特定の数の情報ビットを占有し、異なる情報を搬送するには異なるフィールドが用いられる。
【００７３】
グループＵＥ共通情報（ｇｒｏｕｐ  ＵＥ  ｃｏｍｍｏｎ  ｉｎｆｏｒｍａｔｉｏｎ）：基地局の全てのＵＥは、１つのＵＥグループ（ＵＥ  ｇｒｏｕｐ）を形成し得るか、または基地局の全てのＵＥは、複数のＵＥグループに分割され得る。グループＵＥ共通情報は、ＵＥグループにおける全てのＵＥに対応する共通の情報を含む。代替的に、ＵＥのグループは、セルにおける全てのＵＥ、またはセルにおける全てのＵＥが特定のルールに従って（例えば、異なるサービスに従って）分割されたＵＥグループ、または複数のセルにおけるＵＥからなるグループとして理解され得る。
【００７４】
グループＵＥ共通情報は、例えば、時間領域ユニットフォーマット情報、グループＵＥ周波数領域リソース情報、およびプリエンプション指示情報（ｐｒｅｅｍｐｔｉｏｎ  ｉｎｄｉｃａｔｉｏｎ）のうちいずれか１つを含む。グループＵＥ共通情報は、別のＵＥのグループの共通の情報をさらに含み得て、これは本願において限定されるものではない。時間領域ユニットは、タイムスロット、サブフレーム、フレーム、ミニタイムスロット（ｍｉｎｉ‐ｓｌｏｔまたはｎｏｎ‐ｓｌｏｔ）、またはＫ個の直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，ＯＦＤＭ）シンボルなどのうちいずれか１つであり得て、ここで、Ｋは１より大きいまたは１に等しい整数である。
【００７５】
例えば、タイムスロットフォーマット情報（ｓｌｏｔ  ｆｏｒｍａｔ  ｒｅｌａｔｅｄ  ｉｎｆｏｒｍａｔｉｏｎ，ＳＦＩ）の場合、複数のタイムスロット（ｓｌｏｔ）構造は、５Ｇ  ＮＲシステムにおいてサポートされ得る。タイムスロットは、１つの部分または複数の部分を含み得て、例えば、アップリンク（ｕｐｌｉｎｋ，ＵＬ）伝送タイムスロットのみを含むか、またはダウンリンク（ｄｏｗｎｌｉｎｋ，ＵＬ）伝送タイムスロットのみを含むか、またはＵＬ伝送タイムスロットとＤＬ伝送タイムスロットとを含み得る。タイムスロットはさらに、受信側と送信側の両方によるアップリンク‐ダウンリンクスイッチングに用いられるガードインターバル（ｇｕａｒｄ  ｉｎｔｅｒｖａｌ，ＧＰ）を含む。代替的に、タイムスロットは不明の（ｕｎｋｎｏｗｎ）リソースまたはフレキシブル（ｆｌｅｘｉｂｌｅ）リソースを含み得る。言い換えれば、ＵＥは、リソースがＵＬ伝送またはＤＬ伝送に用いられるか、またはリソースがＵＬ伝送またはＤＬ伝送などにフレキシブルに用いられ得るかなどを認識しない。ＵＬ伝送は、ＵＬデータ伝送とＵＬ制御伝送とを含み得て、ＤＬ伝送は、ＤＬデータ伝送とＤＬ制御伝送とを含み得る。図２は、タイプ１からタイプ７にそれぞれ対応するタイムスロットを示す。従って、１つのｓｌｏｔはいくつかのパートを含み、基地局は、当該いくつかのパートにより占有されるシンボル長を端末デバイスに示す必要がある。
【００７６】
本願の実施形態において、ネットワークデバイスは、基地局、または基地局機能を実装し得るデバイスであり得る。本願の実施形態において、基地局は、説明のために一例として用いられる。基地局（例えば、アクセスポイント）は、アクセスネットワークにあり、少なくとも１つのセクタを用いてエアーインタフェースにより端末デバイスと通信するデバイスであり得る。基地局はさらに、エアーインタフェースの属性管理を調整してよい。例えば、基地局はＬＴＥにおけるＥｖｏｌｖｅｄ  ＮｏｄｅＢ、またはＮＲシステムにおけるｇＮＢ（ｇＮＢ）またはアクセスポイントであり得る。これは、本願の実施形態において限定されるものではない。本願の実施形態に説明される基地局は、基地局デバイスであり得て、または中継デバイスであり得て、または基地局機能を有する別のネットワークエレメントデバイスであり得ることを注意されたい。
【００７７】
端末デバイスは、無線端末または有線端末であり得る。無線端末は、ユーザに音声および／またはデータ接続性を提供するデバイス、無線接続機能を有するハンドヘルドデバイス、または無線モデムに接続される別の処理デバイスであり得る。無線端末は、無線アクセスネットワーク（英語：ｒａｄｉｏ  ａｃｃｅｓｓ  ｎｅｔｗｏｒｋ，略してＲＡＮ）によって１または複数のコアネットワークと通信し得る。無線端末は、携帯電話（「セルラ」電話とも称される）または移動端末を備えたコンピュータなどの移動端末であってよく、例えば、無線アクセスネットワークと音声および／またはデータを交換する、携帯可能なポケットサイズのハンドヘルドコンピュータ内蔵移動装置又は車載移動装置であってもよい。例えば、無線端末は、パーソナル通信サービス（英語：ｐｅｒｓｏｎａｌ  ｃｏｍｍｕｎｉｃａｔｉｏｎ  ｓｅｒｖｉｃｅ，略してＰＣＳ）電話、コードレス電話、セッション初期化プロトコル（英語：ｓｅｓｓｉｏｎ  ｉｎｉｔｉａｔｉｏｎ  ｐｒｏｔｏｃｏｌ，略してＳＩＰ）電話、無線ローカルループ（英語：ｗｉｒｅｌｅｓｓ  ｌｏｃａｌ  ｌｏｏｐ，略してＷＬＬ）ステーション、またはパーソナルデジタルアシスタント（ｐｅｒｓｏｎａｌ  ｄｉｇｉｔａｌ  ａｓｓｉｓｔａｎｔ，略してＰＤＡ）などのデバイスであり得る。無線端末は、システム、加入者ユニット（英語：ｓｕｂｓｃｒｉｂｅｒ  ｕｎｉｔ，略して  ＳＵ）、加入者ステーション（英語：ｓｕｂｓｃｒｉｂｅｒ  ｓｔａｔｉｏｎ，略してＳＳ）、移動局（英語：ｍｏｂｉｌｅ  ｓｔａｔｉｏｎ，略してＭＢ）、移動局（ｍｏｂｉｌｅ）、リモートステーション（英語：ｒｅｍｏｔｅ  ｓｔａｔｉｏｎ，略してＲＳ）、アクセスポイント（英語：ａｃｃｅｓｓ  ｐｏｉｎｔ，略してＡＰ）、リモート端末（英語：ｒｅｍｏｔｅ  ｔｅｒｍｉｎａｌ，略してＲＴ）、アクセスターミナル（英語：ａｃｃｅｓｓ  ｔｅｒｍｉｎａｌ，略してＡＴ）、ユーザ端末（英語：ｕｓｅｒ  ｔｅｒｍｉｎａｌ，略してＵＴ）、ユーザエージェント（英語：ｕｓｅｒ  ａｇｅｎｔ，略してＵＡ）、端末デバイス（英語：ｕｓｅｒ  ｄｅｖｉｃｅ，略してＵＤ）、またはユーザ機器（英語：ｕｓｅｒ  ｅｑｕｉｐｍｅｎｔ，略してＵＥ）と称されてもよい。次に、端末デバイスはＵＥと称される。
【００７８】
加えて、本願の説明において、用語「第１の」および「第２の」は説明間の区別の目的のために用いられるのみで、相対的な重要度の指示または示唆として理解されることができず、順序の指示または示唆として理解されることができないということを理解されたい。本願の説明における用語「複数の」は、２つまたは２つより多いものを意味する。
【００７９】
本願の実施形態は、端末デバイスのグループ共通ＰＤＣＣＨの検出回数が比較的多いことによりもたらされる電力消費が比較的大きいという既存の問題を解消すべく、情報伝送方法および装置を提供する。当該方法および装置は、同じ発明に基づいて考えられる。当該方法および装置は、問題を解決するための同様の原理を有する。従って、当該装置および方法の実装のために、互いに参照し得て、繰り返される部分の詳細について説明はしない。
【００８０】
図３を参照すると、図３は本願の実施形態に係る情報伝送方法の概略フローチャートである。当該情報伝送方法は、以下の段階を含む。
【００８１】
Ｓ３０１．ネットワークデバイスが第１の情報を生成する。
【００８２】
Ｓ３０２．ネットワークデバイスは第１の情報を端末デバイスに送信し、ここで、第１の情報は、Ｎ個のコンポーネントキャリアＣＣの少なくとも１つのグループ共通ＰＤＣＣＨを検出するように、端末デバイスに命令するために用いられ、Ｎは正の整数であり、Ｍより小さいまたはＭに等しく、Ｍは端末デバイス用に構成されるＣＣの数である。
【００８３】
第１の情報は、少なくとも１つのグループ共通ＰＤＣＣＨにより占有されるＮ個のＣＣのインデックス値を含み得る。
【００８４】
Ｓ３０３．端末デバイスは、ネットワークデバイスにより送信される第１の情報を受信し、ここで、第１の情報は、Ｎ個のコンポーネントキャリアＣＣの少なくとも１つのグループ共通ＰＤＣＣＨを検出するように、端末デバイスに命令するために用いられ、Ｎは正の整数であり、Ｍより小さいまたはＭに等しく、Ｍは端末デバイス用に構成されるＣＣの数である。
【００８５】
Ｓ３０４．端末デバイスは、第１の情報に従ってＮ個のＣＣの少なくとも１つのグループ共通ＰＤＣＣＨを検出する。
【００８６】
上述の解決手段を用いることにより、端末デバイスがグループ共通ＰＤＣＣＨを検出する前に、ネットワークデバイスは、端末デバイスに、端末デバイスがグループ共通ＰＤＣＣＨを検出するＣＣを示し、その結果、端末デバイスは、グループ共通ＰＤＣＣＨを取得するために全てのＣＣを検出する必要がなくなり、それにより端末デバイスのブラインド検出回数を低減し、端末デバイスの電力消費を低減する。
【００８７】
任意選択的に、Ｎ個のＣＣは、端末デバイス用に構成されるＭ個のＣＣ内にあり得る。具体的には、ネットワークデバイスは、端末デバイス用に構成されるＭ個のＣＣのうちＮ個で搬送される予定の少なくとも１つのグループ共通物理ダウンリンク制御チャネルＰＤＣＣＨを構成して、端末デバイスに構成を示し、それにより端末デバイスのブラインド検出回数を低減し、電力消費を低減し得る。
【００８８】
任意選択的に、グループ共通ＰＤＣＣＨは、端末デバイス用に構成されるＭ個のＣＣのグループＵＥ共通情報を示すために用いられ、端末デバイスが第１の情報に従ってＮ個のＣＣの少なくとも１つのグループ共通ＰＤＣＣＨを検出する段階Ｓ３０４の後、当該方法は、以下の段階をさらに含み得る。
【００８９】
Ｓ３０５．端末デバイスは、検出された少なくとも１つのグループ共通ＰＤＣＣＨで、端末デバイス用に構成されるＭ個のＣＣのグループＵＥ共通情報を受信する。
【００９０】
ＮがＭに等しい場合、Ｍ個のＣＣ全てのグループ共通ＰＤＣＣＨが同じグループＵＥ共通情報を搬送し、その結果、端末デバイスは、任意のＣＣのグループ共通ＰＤＣＣＨを検出することを選択して、グループ共通ＰＤＣＣＨでグループＵＥ共通情報を受信し得ることを注意されたい。
【００９１】
これに基づいて、グループＵＥ共通情報を取得した後、端末デバイスは、グループＵＥ共通情報に基づいて、時間周波数領域リソース、タイムスロットフォーマットまたはプリエンプション指示など、データの送信または受信に用いられる情報を決定し得る。
【００９２】
任意選択的に、ネットワークデバイスは、以下の特定の方式で端末デバイスに第１の情報を送信し得る。
【００９３】
ネットワークデバイスは、ダウンリンク制御情報（ｄｏｗｎｌｉｎｋ  ｃｏｎｔｒｏｌ  ｉｎｆｏｒｍａｔｉｏｎ，ＤＣＩ）シグナリング、無線リソース制御（ｒａｄｉｏ  ｒｅｓｏｕｒｃｅ  ｃｏｎｔｒｏｌ，ＲＲＣ）シグナリングまたはセルブロードキャストシグナリングを用いて端末デバイスに第１の情報を送信する。従って、端末デバイスは、以下の特定の方式で、ネットワークデバイスにより送信された第１の情報を受信し得る：端末デバイスは、ネットワークデバイスにより送信されるＤＣＩシグナリングを受信し、ここで、当該ＤＣＩシグナリングは第１の情報を搬送し、または、端末デバイスは、ネットワークデバイスにより送信されるＲＲＣシグナリングを受信し、ここで、当該ＲＲＣシグナリングは第１の情報を搬送し、または、端末デバイスは、ネットワークデバイスにより送信されるセルブロードキャストシグナリングを受信し、ここで、当該ＲＲＣシグナリングは第１の情報を搬送する。
【００９４】
本願のこの実施形態において、第１の情報は、以下の方式のうちいずれか１つで、Ｎ個のＣＣの少なくとも１つのグループ共通ＰＤＣＣＨを検出するように端末デバイスに命令するために具体的に用いられ得る。
【００９５】
方式１：第１の情報は、端末デバイス用に構成されるＮ個のＣＣのインデックス値を含む。
【００９６】
方式２：第１の情報は、端末デバイス用に構成されるＭ個のＣＣのインデックス値と、グループ共通ＰＤＣＣＨを搬送するＮ個のＣＣのインデックス値と、グループＵＥ共通情報（ｇｒｏｕｐ  ＵＥ  ｃｏｍｍｏｎ  ｉｎｆｏｒｍａｔｉｏｎ）のフィールドとの間の対応関係を含む。
【００９７】
方式３：第１の情報は、端末デバイス用に構成されるＭ個のＣＣのインデックス値と、グループ共通ＰＤＣＣＨを搬送するＮ個のＣＣのインデックス値と、グループＵＥ共通情報のフィールドと、グループＵＥ共通情報のスクランブリングに用いられる識別情報との間の対応関係を含む。
【００９８】
方式４：第１の情報は、端末デバイス用に構成されるＮ個のＣＣのインデックス値と、方式２または方式３における対応関係とを含む。この方式で、ネットワークデバイスは、端末デバイス用に構成されるＮ個のＣＣの対応関係およびインデックス値を、同じシグナリングを用いて端末デバイスに送信し得て、または、ネットワークデバイスは、端末デバイス用に構成されるＮ個のＣＣの対応関係およびインデックス値を、異なるシグナリングを用いて、端末デバイスに別々に送信し得る。これは、本願のこの実施形態において具体的に限定されるものではない。
【００９９】
以下は、本願のこの実施形態において提供される解決手段を、特定のアプリケーションシナリオを参照して、具体的に説明する。以下は、ネットワークデバイスが基地局である例を用いる。端末デバイスグループに含まれる端末デバイスのｇｒｏｕｐ  ＵＥ  ｃｏｍｍｏｎ  ｉｎｆｏｒｍａｔｉｏｎは同じなので、１つの端末デバイスグループが、説明のための例として次に用いられる。
【０１００】
本願のこの実施形態は、キャリアアグリゲーションシナリオまたはデュアルコネクティビティシナリオに適用され得る。
【０１０１】
キャリアアグリゲーションシナリオについては、２つの場合があり得る。ケース１：基地局により占有される全てのＣＣが、１つのＣＣグループ内にある。言い換えれば、全てのＣＣが１つのＣＣグループを形成する。ケース２：基地局に含まれる全てのＣＣがＬ個のＣＣグループに分割され、ここで、Ｌは２より大きい。
【０１０２】
ＤＣシナリオについては、２つの場合があり得る。ケース１：１つのマクロセルおよび複数のスモールセルが存在し、マクロセルおよび複数のスモールセルは１つのグループを形成する。ケース２：複数のマクロセルおよび複数のスモールセルが存在し、複数のマクロセルおよび複数のスモールセルは複数のグループに分割され得る。
【０１０３】
一般的に、マクロセル（Ｍａｃｒｏ  ｃｅｌｌ）が１つのＣＣを占有し、各スモールセル（ｓｍａｌｌ  ｃｅｌｌ）が１つのＣＣを占有し、その結果、マクロセル（Ｍａｃｒｏ  ｃｅｌｌ）により占有される１つのＣＣと、複数のｓｍａｌｌ  ｃｅｌｌにより占有される複数のＣＣとが１つのＣＣグループを形成し得る。これに基づいて、以下は、ＣＣの観点からキャリアアグリゲーションシナリオを具体的に説明する。ＤＣシナリオにおけるマクロセルおよびスモールセルの情報伝送方式については、ＣＣの観点から説明されるキャリアアグリゲーションシナリオにおける情報伝送方式を参照されたい。詳細は再度説明はしない。
【０１０４】
キャリアアグリゲーションシナリオにおけるケース１は、実施形態１に具体的に説明される。
［実施形態１］
【０１０５】
基地局により占有される全てのＣＣが、１つのＣＣグループ内にある。言い換えれば、全てのＣＣが１つのＣＣグループを形成する。基地局は、少なくとも１つのグループ共通ＰＤＣＣＨを搬送するために用いられる予定のＣＣグループのＮ個のＣＣを構成し得る。少なくとも１つのグループ共通ＰＤＣＣＨは、ＣＣグループの全てのＣＣのグループＵＥ共通情報（ｇｒｏｕｐ  ＵＥ  ｃｏｍｍｏｎ  ｉｎｆｏｒｍａｔｉｏｎ）を搬送するために用いられる。例えば、グループＵＥ共通情報はＳＦＩを含む。Ｎ個のＣＣでＳＦＩを取得した後、ＵＥは、ＳＦＩに基づいて、特定のＣＣのタイムスロットフォーマットを決定し得る。
【０１０６】
例えば、基地局は、ＣＣ１からＣＣ６を占有する。ＣＣ１は、少なくとも１つのグループ共通ＰＤＣＣＨを搬送するために用いられるＣＣであり、基地局は、全てのＵＥグループのＵＥに第１の情報を送信する。第１の情報は、ＣＣ１の少なくとも１つのグループ共通ＰＤＣＣＨを検出するようにＵＥに命令するために用いられ、少なくとも１つのグループ共通ＰＤＣＣＨは、ＣＣグループの全てのＣＣのグループＵＥ共通情報を搬送する。従って、第１の情報を受信した後、ＵＥは、第１の情報に従ってＣＣ１の少なくとも１つのグループ共通ＰＤＣＣＨを検出し、少なくとも１つのグループ共通ＰＤＣＣＨで、ＵＥ用に構成されるＣＣのグループＵＥ共通情報を取得し得る。
【０１０７】
これに基づいて、ＵＥ用にＣＣを構成する場合、基地局は、全てのＵＥグループ用にＣＣ１を構成する必要がある。
【０１０８】
具体的には、方式１に説明される場合において、第１の情報は、少なくとも１つのグループ共通ＰＤＣＣＨを搬送するために用いられるＣＣ１のインデックス値を含み得て、その結果、端末デバイスは、ＣＣ１のインデックス値を用いて、ＣＣ１のグループ共通ＰＤＣＣＨを検出することを決定し得る。
【０１０９】
方式２で説明される場合において、第１の情報は、端末デバイス用に構成されるＣＣのインデックス値と、グループ共通ＰＤＣＣＨを搬送するＣＣのインデックス値と、グループＵＥ共通情報のフィールドとの間の対応関係を含み得る。従って、第１の情報を用いて、ＵＥは、グループ共通ＰＤＣＣＨが検出されるＣＣを決定し得て、グループ共通ＰＤＣＣＨで搬送されるグループＵＥ共通情報内にあり、特定のＣＣのグループＵＥ共通情報を含むフィールドを決定し得る。例えば、表１に示されるように、対応関係は、表の方式でＵＥに通知されてもよく、もちろん表以外の別の方式でＵＥに通知されてもよい。
【０１１０】
方式３で説明される場合において、第１の情報は、端末デバイス用に構成されるＣＣのインデックス値と、グループ共通ＰＤＣＣＨを搬送するＣＣのインデックス値と、グループＵＥ共通情報をスクランブリングするために用いられる識別情報と、グループＵＥ共通情報のフィールドとの間の対応関係を含み得る。
【０１１１】
グループＵＥ共通情報はＣＣグループの識別情報を用いてスクランブルされもよく、またはグループＵＥ共通情報はＣＣグループが割り当てられるＵＥグループの識別情報を用いてスクランブルされてもよく、またはグループＵＥ共通情報はＣＣグループが割り当てられる任意のＵＥの識別情報を用いてスクランブルされてもよく、またはグループＵＥ共通情報はネットワーク側に構成される識別情報を用いてスクランブルされてもよい。これは、本願において具体的に限定されるものではない。従って、第１の情報を用いて、ＵＥは、グループ共通ＰＤＣＣＨが検出されるＣＣと、グループ共通ＰＤＣＣＨで搬送されるグループＵＥ共通情報をデスクランブルするために用いられる識別情報とを決定し得て、デスクランブルされたグループＵＥ共通情報内にあり、特定のＣＣのグループＵＥ共通情報を含むフィールドを決定し得る。
［表１］
【表１】
2020533871.tif 000003
【０１１２】
方式４で説明される場合において、第１の情報は、少なくとも１つのグループ共通ＰＤＣＣＨを搬送するために用いられるＣＣのインデックス値と、方式２の対応関係および方式３の対応関係のうち１つとを含み得る。基地局は、同じシグナリングまたは異なるシグナリングを用いて、少なくとも１つのグループ共通ＰＤＣＣＨを搬送するために用いられるＣＣのインデックス値と、方式２または方式３に説明される対応関係をＵＥに送信し得る。
【０１１３】
上述の解決手段において、ＵＥのブラインド検出回数は、最大限の範囲まで低減され、ＵＥは、１つのＣＣのグループ共通ＰＤＣＣＨを検出して、ＵＥ用に構成されるＣＣのグループＵＥ共通情報を取得するだけでよい。
【０１１４】
しかしながら、上述の場合、各ＵＥ用に構成されるＣＣは、グループ共通ＰＤＣＣＨを搬送するＣＣを含む必要があり、柔軟でないスケジューリングをもたらす。
【０１１５】
もちろん、グループ共通ＰＤＣＣＨを搬送するために複数のＣＣが選択されてよく、各ＣＣのグループ共通ＰＤＣＣＨは全てのＣＣのグループＵＥ共通情報を搬送してよい。この場合、複数のＣＣはグループ共通ＰＤＣＣＨを含む。スケジューリングの柔軟性は改善されるが、グループ共通ＰＤＣＣＨのグループＵＥ共通情報のオーバーヘッドは比較的多く、全てのＣＣがＵＥに割り当てられていない場合、ＵＥは全てのＣＣのグループＵＥ共通情報を認識する必要がない。
【０１１６】
ＤＣシナリオのケース１において、１つのマクロセルおよび複数のスモールセルが存在し、マクロセルおよび複数のスモールセルは１つのグループを形成する。マクロセルは、グループ共通ＰＤＣＣＨを搬送するために具体的に構成され、グループ共通ＰＤＣＣＨは全てのセルのグループＵＥ共通情報を搬送するために用いられる。
【０１１７】
キャリアアグリゲーションシナリオにおけるケース２は、実施形態２に具体的に説明される。
［実施形態２］
【０１１８】
基地局により占有される全てのＣＣは、複数のＣＣグループに分割される。基地局は、少なくとも１つのグループ共通ＰＤＣＣＨを搬送するために用いられる予定の各ＣＣグループにおける１つまたは複数のＣＣを構成し、少なくとも１つのグループ共通ＰＤＣＣＨは、ＣＣグループにおける全てのＣＣのグループＵＥ共通情報を搬送するために用いられ得る。例えば、グループＵＥ共通情報はＳＦＩを含む。ＣＣグループにおける１つまたは複数のＣＣのＳＦＩを取得した後、ＵＥは、ＳＦＩに基づいて、タイムスロットのフォーマットがＣＣグループに位置されるＣＣを決定し得る。
【０１１９】
例えば、基地局は、４つのグループに分割されている合計２０個のＣＣを占有しており、各グループは５つのＣＣを含む。１つまたは複数のＣＣは、各グループにおける５つのＣＣから選択され、１つのグループ共通ＰＤＣＣＨを搬送し得る。本願のこの実施形態において、各グループから１つのＣＣが選択されてグループ共通ＰＤＣＣＨを搬送することは、一例として用いられ、グループ共通ＰＤＣＣＨは、ＣＣグループにおける全てのＣＣのグループＵＥ共通情報を示すために用いられる。
【０１２０】
上述の構成において、基地局は、第１の情報を用いて、グループ共通ＰＤＣＣＨを搬送するために用いられるＣＣをＵＥに示し得る。第１の情報は、少なくとも１つのコンポーネントキャリアＣＣのグループ共通ＰＤＣＣＨを検出するようにＵＥに命令するために用いられ、グループ共通ＰＤＣＣＨは、ＵＥ用に構成されるＣＣのグループＵＥ共通情報を搬送する。
【０１２１】
ＤＣシナリオの場合２において、複数のマクロセルおよび複数のスモールセルが存在し、複数のマクロセルおよび複数のスモールセルは複数のグループを形成する。例えば、４つのマクロセルと２０個のスモールセルは、４つのグループに分割され、各グループは、１つのマクロセルと４つのスモールセルとの５つのセルを含み得る。各グループにおいて、マクロセルは、グループ共通ＰＤＣＣＨを搬送し、グループ共通ＰＤＣＣＨは、グループにおける全てのセルのグループＵＥ共通情報を搬送する。従って、基地局はＵＥに第１の情報を送信し、第１の情報は、マクロセルを用いてグループ共通ＰＤＣＣＨを検出するようにＵＥに命令し、その結果、ＵＥは、グループ共通ＰＤＣＣＨで、マクロセルに対応するグループにおける全てのセルのグループＵＥ共通情報を取得する。
【０１２２】
具体的に、本願のこの実施形態において、実施形態２は２つの可能な方式で具体的に説明される。第１の可能な方式において、ＣＣは、ＣＣの粒度に基づいてＵＥ用に構成される。具体的には、ＵＥ用に構成されるＣＣは、異なるＣＣグループにまたがり、例えば、ＣＣグループ１のＣＣ１を含み、さらにＣＣグループ２のＣＣ４とＣＣ５とを含み得る。第２の可能な方式において、ＣＣは、ＣＣグループの粒度に基づいてＵＥ用に構成される。具体的には、１つのＣＣグループまたは複数のＣＣグループに含まれる全てのＣＣは、ＵＥ用に構成される。
【０１２３】
第１の可能な方式（ＣＣは、ＣＣの粒度に基づいてＵＥ用に構成される）は、以下の通りである。
【０１２４】
例えば、基地局により占有される全てのＣＣは、ＣＣグループ１とＣＣグループ２との２つのＣＣグループに分割され、ＣＣグループ１に含まれるＣＣが、ＣＣグループ２に含まれるＣＣと重なる（ｏｖｅｒｌａｐ）ことはない。具体的に、ＣＣグループ１はＣＣ１からＣＣ４を含み、ＣＣグループ２はＣＣ５からＣＣ８を含む。
【０１２５】
図４を参照すると、ＣＣグループ１におけるＣＣ１およびＣＣ４と、ＣＣグループ２におけるＣＣ５およびＣＣ７とは、ＵＥグループ１用に構成されると仮定する。ＣＣグループ１におけるＣＣ１とＣＣグループ２におけるＣＣ５との各々は、グループ共通ＰＤＣＣＨを搬送するために用いられる。ＣＣ１のグループ共通ＰＤＣＣＨは、ＣＣ１からＣＣ４のグループＵＥ共通情報を搬送するために用いられ、ＣＣ５のグループ共通ＰＤＣＣＨは、ＣＣ５からＣＣ８のグループＵＥ共通情報を搬送するために用いられる。
【０１２６】
この構成方式に基づいて、基地局は、ＵＥグループ１の各ＵＥに第１の情報を送信し、以下は、一例として１つのＵＥを用いる。基地局はＵＥに第１の情報を送信し、ここで、第１の情報は、ＣＣ１およびＣＣ５のグループ共通ＰＤＣＣＨを検出するようにＵＥに命令するために用いられる。第１の情報は、方式１から方式４のうちいずれか１つで、ＣＣ１およびＣＣ５の少なくとも１つのグループ共通ＰＤＣＣＨを検出するように端末デバイスに命令するために用いられ得る。方式２で説明されるケースが、ここで一例として用いられる。第１の情報は、ＵＥ用に構成されるＣＣのインデックス値と、グループ共通ＰＤＣＣＨを搬送するＣＣのインデックス値と、グループＵＥ共通情報のフィールドとの間の対応関係を含み得る。従って、第１の情報を用いて、ＵＥは、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表２に示されるように決定し得る。
［表２］
【表２】
2020533871.tif 000004
【０１２７】
第１の情報を受信した後、ＵＥは、第１の情報に従って、ＣＣ１およびＣＣ５のグループ共通ＰＤＣＣＨを検出し、ＣＣ１で検出されるグループ共通ＰＤＣＣＨでグループＵＥ共通情報を受信し、グループＵＥ共通情報のフィールド１からＣＣ１のグループＵＥ共通情報を取得し、ＣＣ１で検出されるグループ共通ＰＤＣＣＨでグループＵＥ共通情報を受信し、グループＵＥ共通情報のフィールド４からＣＣ４のグループＵＥ共通情報を取得し、ＣＣ５で検出されるグループ共通ＰＤＣＣＨでグループＵＥ共通情報を受信し、グループＵＥ共通情報のフィールド２からＣＣ５のグループＵＥ共通情報を取得し、ＣＣ５で検出されるグループ共通ＰＤＣＣＨでグループＵＥ共通情報を受信し、グループＵＥ共通情報のフィールド３からＣＣ７のグループＵＥ共通情報を取得する。
【０１２８】
上述の解決手段を用いることにより、ＵＥは、基地局により示されるＣＣのグループ共通ＰＤＣＣＨを検出するだけでよく、グループ共通ＰＤＣＣＨで、ＵＥ用に構成されるＣＣのグループＵＥ共通情報を取得し、それによりＵＥのブラインド検出回数を低減し、ＵＥの電力消費を低減する。
【０１２９】
加えて、本願のこの実施形態において、ＵＥ用にＣＣを構成する前に、基地局は、グループＵＥ共通情報を搬送するために用いられるグループ共通ＰＤＣＣＨが位置するＣＣを決定し得て、その結果、ＵＥ用のＣＣ構成の間、基地局は、ＵＥ用に構成されるＣＣがグループ共通ＰＤＣＣＨを搬送するＣＣを含むことを保証するだけでよく、必ずしも各ＵＥ用に特定のＣＣを構成する必要はない。従って、ＵＥ用のＣＣ構成の柔軟性は、実施形態１と比較して改善される。
【０１３０】
例えば、基地局により占有される全てのＣＣは、ＣＣグループ１とＣＣグループ２との２つのＣＣグループに分割され、ＣＣグループ１に含まれるＣＣが、ＣＣグループ２に含まれるＣＣと重なる（ｏｖｅｒｌａｐ）。具体的に、ＣＣグループ１はＣＣ１からＣＣ４を含み、ＣＣグループ２はＣＣ４からＣＣ７を含み、ＣＣ４は、ＣＣグループ１およびＣＣグループ２の共通ＣＣである。
【０１３１】
第１の構成方式において、グループ共通ＰＤＣＣＨは共通ＣＣで搬送され、第２の構成方式において、グループ共通ＰＤＣＣＨは非共通ＣＣで搬送される。
【０１３２】
第１の可能な方式の第１の構成方式において、グループ共通ＰＤＣＣＨが共通ＣＣで搬送されるということは、以下のように説明される。
【０１３３】
図５を参照すると、ＵＥグループ１用に構成されるＣＣはＣＣ１、ＣＣ４およびＣＣ６を含み、ＵＥグループ２に割り当てられるＣＣは、ＣＣ２、ＣＣ４およびＣＣ６を含むと仮定する。ＣＣ４は、グループ共通ＰＤＣＣＨを搬送するために用いられ、ＣＣ４のグループ共通ＰＤＣＣＨは、ＣＣ１からＣＣ７のグループＵＥ共通情報を搬送するために用いられる。
【０１３４】
この構成方式に基づいて、基地局は、ＵＥグループ１の各ＵＥに情報１を送信し、ＵＥグループ２の各ＵＥに情報２を送信する。情報１は、ＣＣ４のグループ共通ＰＤＣＣＨを検出するようにＵＥ１に命令するために用いられ、情報２は、ＣＣ４のグループ共通ＰＤＣＣＨを検出するようにＵＥ２に命令するために用いられる。以下は、一例としてＵＥグループ１のＵＥ１を用いる。情報１は、方式１から方式４のうちいずれか１つで、ＣＣ４の少なくとも１つのグループ共通ＰＤＣＣＨを検出するようにＵＥ１に命令するために用いられ得る。方式２で説明されるケースが、一例として用いられる。第１の情報は、ＵＥ１用に構成されるＣＣのインデックス値と、グループ共通ＰＤＣＣＨを搬送するＣＣのインデックス値と、グループＵＥ共通情報のフィールドとの間の対応関係を含む。第１の情報を用いて、ＵＥ１は、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表３に示されるように決定し得る。
［表３］
【表３】
2020533871.tif 000005
【０１３５】
情報１を受信した後、ＵＥ１は、情報１に従って、ＣＣ４におけるグループ共通ＰＤＣＣＨを検出し、ＣＣ４で検出されるグループ共通ＰＤＣＣＨでグループＵＥ共通情報を受信し、グループＵＥ共通情報のフィールド１からＣＣ１のグループＵＥ共通情報を取得し、ＣＣ４で検出されるグループ共通ＰＤＣＣＨでグループＵＥ共通情報を受信し、グループＵＥ共通情報のフィールド４からＣＣ４のグループＵＥ共通情報を取得し、ＣＣ４で検出されるグループ共通ＰＤＣＣＨでグループＵＥ共通情報を受信し、グループＵＥ共通情報のフィールド６からＣＣ６のグループＵＥ共通情報を取得する。
【０１３６】
上述の解決手段を用いることにより、ＵＥは、基地局により示されるＣＣのグループ共通ＰＤＣＣＨを検出するだけでよく、グループ共通ＰＤＣＣＨで、ＵＥ用に構成されるＣＣのグループＵＥ共通情報を取得し、それによりＵＥのブラインド検出回数を低減し、ＵＥの電力消費を低減する。
【０１３７】
加えて、本願のこの実施形態において、ＵＥ用にＣＣを構成する前に、基地局は、グループＵＥ共通情報を搬送するために用いられるグループ共通ＰＤＣＣＨが位置するＣＣを決定し得て、その結果、ＵＥ用のＣＣ構成の間、基地局は、ＵＥ用に構成されるＣＣがグループ共通ＰＤＣＣＨを搬送するＣＣを含むことを保証するだけでよく、必ずしも各ＵＥ用に特定のＣＣを構成する必要はない。従って、ＵＥ用のＣＣ構成の柔軟性は、実施形態１と比較して改善される。
【０１３８】
第１の可能な方式の第２の構成方式において、グループ共通ＰＤＣＣＨが非共通ＣＣで搬送されるということは、以下のように説明される。
【０１３９】
図６を参照すると、ＵＥグループ１用に構成されるＣＣはＣＣ１とＣＣ４とを含み、ＵＥグループ２に割り当てられるＣＣは、ＣＣ４とＣＣ５とを含むと仮定する。ＣＣ１とＣＣ５とは、グループ共通ＰＤＣＣＨを搬送するために用いられる。ＣＣ１のグループ共通ＰＤＣＣＨは、ＣＣ１からＣＣ４のグループＵＥ共通情報を搬送するために用いられ、ＣＣ５のグループ共通ＰＤＣＣＨは、ＣＣ４からＣＣ７のグループＵＥ共通情報を搬送するために用いられる。
【０１４０】
この構成方式に基づいて、基地局は、ＵＥグループ１の各ＵＥに情報１を送信し、情報１は、ＣＣ１のグループ共通ＰＤＣＣＨを検出するようにＵＥグループ１のＵＥに命令するために用いられる。基地局は、ＵＥグループ２の各ＵＥに情報２を送信し、情報２は、ＣＣ５のグループ共通ＰＤＣＣＨを検出するようにＵＥグループ２のＵＥに命令するために用いられる。
【０１４１】
ＵＥグループ２におけるＵＥグループ１とＵＥ２とのＵＥ１は、例として用いられる。
【０１４２】
基地局は、ＵＥ１に情報１を送信する。情報１は、方式１から方式４のうちいずれか１つで、ＣＣ１の少なくとも１つのグループ共通ＰＤＣＣＨを検出するようにＵＥ１に命令するために用いられ得る。方式２で説明されるケースが、一例として用いられる。情報１は、ＵＥ１用に構成されるＣＣのインデックス値と、グループ共通ＰＤＣＣＨを搬送するＣＣのインデックス値と、グループＵＥ共通情報のフィールドとの間の対応関係を含み得る。従って、情報１を用いて、ＵＥ１は、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表４に示されるように決定し得る。
［表４］
【表４】
2020533871.tif 000006
【０１４３】
情報１を受信した後、ＵＥ１は、情報１に従って、ＣＣ１におけるグループ共通ＰＤＣＣＨを検出し、検出されたグループ共通ＰＤＣＣＨでグループＵＥ共通情報を受信し、グループＵＥ共通情報のフィールド１からＣＣ１のグループＵＥ共通情報を取得し、検出されたグループ共通ＰＤＣＣＨでグループＵＥ共通情報を受信し、グループＵＥ共通情報のフィールド４からＣＣ４のグループＵＥ共通情報を取得する。
【０１４４】
基地局は、ＵＥ２に情報２を送信する。情報２は、方式１から方式４のうちいずれか１つで、ＣＣ５の少なくとも１つのグループ共通ＰＤＣＣＨを検出するようにＵＥ２に命令するために用いられ得る。方式２で説明されるケースが、一例として用いられる。情報２は、ＵＥ２用に構成されるＣＣのインデックス値と、グループ共通ＰＤＣＣＨを搬送するＣＣのインデックス値と、グループＵＥ共通情報のフィールドとの間の対応関係を含み得る。従って、情報２を用いて、ＵＥ２は、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表５に示されるように決定し得る。
［表５］
【表５】
2020533871.tif 000007
【０１４５】
情報２を受信した後、ＵＥ２は、情報２に従って、ＣＣ５におけるグループ共通ＰＤＣＣＨを検出し、検出されたグループ共通ＰＤＣＣＨでグループＵＥ共通情報を受信し、グループＵＥ共通情報のフィールド１からＣＣ４のグループＵＥ共通情報を取得し、検出されたグループ共通ＰＤＣＣＨでグループＵＥ共通情報を受信し、グループＵＥ共通情報のフィールド２からＣＣ５のグループＵＥ共通情報を取得する。
【０１４６】
上述の解決手段を用いることにより、ＵＥは、基地局により示されるＣＣのグループ共通ＰＤＣＣＨを検出するだけでよく、グループ共通ＰＤＣＣＨで、ＵＥ用に構成されるＣＣのグループＵＥ共通情報を取得し、それによりＵＥのブラインド検出回数を低減し、ＵＥの電力消費を低減する。
【０１４７】
加えて、本願のこの実施形態において、ＵＥ用にＣＣを構成する前に、基地局は、グループＵＥ共通情報を搬送するために用いられるグループ共通ＰＤＣＣＨが位置するＣＣを決定し得て、その結果、ＵＥ用のＣＣ構成の間、基地局は、ＵＥ用に構成されるＣＣがグループ共通ＰＤＣＣＨを搬送するＣＣを含むことを保証するだけでよく、必ずしも各ＵＥ用に特定のＣＣを構成する必要はない。従って、ＵＥ用のＣＣ構成の柔軟性は、実施形態１と比較して改善される。加えて、異なるＣＣグループにおける共通ＣＣの数が比較的多い場合、かつグループ共通ＰＤＣＣＨを搬送するために用いられるＣＣが共通ＣＣでない場合、ＵＥ用のＣＣ構成の柔軟性は、グループ共通ＰＤＣＣＨを搬送するために用いられるＣＣが共通ＣＣである方式と比較してさらに改善されて、システムロードバランシングを可能にし得る。
【０１４８】
以下は、一例として４つのＣＣグループを用いており、任意の２つのＣＣグループが共通ＣＣを含む。グループ共通ＰＤＣＣＨを搬送するＣＣは共通ＣＣではなく、ロードバランスをいかに改善するかは、グループ共通ＰＤＣＣＨを搬送するために用いられるＣＣが共通ＣＣでない場合に具体的に説明される。
【０１４９】
例えば、表６の２行目を参照すると、コンポーネントキャリアａはＣＣグループ１、ＣＣグループ２およびＣＣグループ３の共通ＣＣであり、表６の３行目を参照すると、コンポーネントキャリアｂはＣＣグループ２、ＣＣグループ３およびＣＣグループ４の共通ＣＣであり、表６の４行目を参照すると、コンポーネントキャリアｃはＣＣグループ１およびＣＣグループ２の共通ＣＣであり、表６の５行目を参照すると、コンポーネントキャリアｄはＣＣグループ３およびＣＣグループ４の共通ＣＣである。ＣＣグループ１のグループ共通ＰＤＣＣＨを搬送するコンポーネントキャリアはＣＣ１であり、ＣＣグループ２のグループ共通ＰＤＣＣＨを搬送するコンポーネントキャリアはＣＣ２であり、ＣＣグループ３のグループ共通ＰＤＣＣＨを搬送するコンポーネントキャリアはＣＣ３であり、ＣＣグループ４のグループ共通ＰＤＣＣＨを搬送するコンポーネントキャリアはＣＣ４である。これに基づいて、システムロードバランシングを容易にすべく、ＵＥ用のＣＣ構成の間、キャリアａ、ｂ、ｃまたはｄの構成について、ＣＣ１、ＣＣ２、ＣＣ３およびＣＣ４が割り当てられるＵＥの個数が考慮され得る。例えば、キャリアａとＣＣ１とはＵＥ１に割り当てられ、キャリアｂとＣＣ３とはＵＥ２に割り当てられ、キャリアｃとＣＣ２とはＵＥ３に割り当てられ、キャリアｄとＣＣ４とはＵＥ４に割り当てられる。
［表６］
【表６】
2020533871.tif 000008
【０１５０】
以下は、第２の可能な方式（ＣＣが、ＣＣグループの粒度に基づいてＵＥ用に構成される）を具体的に説明する。
【０１５１】
例えば、基地局により占有される全てのＣＣは、ＣＣグループ１とＣＣグループ２との２つのＣＣグループに分割され、ＣＣグループ１に含まれるＣＣが、ＣＣグループ２に含まれるＣＣと重なる（ｏｖｅｒｌａｐ）ことはない。具体的に、ＣＣグループ１はＣＣ１からＣＣ４を含み、ＣＣグループ２はＣＣ５からＣＣ８を含む。
【０１５２】
図７を参照すると、ＣＣグループ１における全てのＣＣはＵＥグループ１用に構成され、ＣＣグループ２における全てのＣＣはＵＥグループ２用に構成されると仮定する。ＣＣグループ１におけるＣＣ１とＣＣグループ２におけるＣＣ５との各々は、グループ共通ＰＤＣＣＨを搬送するために用いられる。ＣＣ１のグループ共通ＰＤＣＣＨは、ＣＣ１からＣＣ４のグループＵＥ共通情報を搬送するために用いられ、ＣＣ５のグループ共通ＰＤＣＣＨは、ＣＣ５からＣＣ８のグループＵＥ共通情報を搬送するために用いられる。
【０１５３】
この構成方式に基づいて、基地局は、ＵＥグループ１の各ＵＥに情報１を送信し、情報１は、ＣＣ１のグループ共通ＰＤＣＣＨを検出するようにＵＥグループ１のＵＥに命令するために用いられる。基地局は、ＵＥグループ２の各ＵＥに情報２を送信し、情報２は、ＣＣ５のグループ共通ＰＤＣＣＨを検出するようにＵＥグループ２のＵＥに命令するために用いられる。
【０１５４】
ＵＥグループ２におけるＵＥグループ１とＵＥ２とのＵＥ１は、例として用いられる。
【０１５５】
基地局は、ＵＥ１に情報１を送信する。情報１は、方式１から方式４のうちいずれか１つで、ＣＣ１の少なくとも１つのグループ共通ＰＤＣＣＨを検出するようにＵＥ１に命令するために用いられ得る。方式２で説明されるケースが、一例として用いられる。情報１は、ＵＥ１用に構成されるＣＣのインデックス値と、グループ共通ＰＤＣＣＨを搬送するＣＣのインデックス値と、グループＵＥ共通情報のフィールドとの間の対応関係を含み得る。従って、情報１を用いて、ＵＥ１は、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表７に示されるように決定し得る。
［表７］
【表７】
2020533871.tif 000009
【０１５６】
情報１を受信した後、ＵＥ１は、情報１に従って、ＣＣ１におけるグループ共通ＰＤＣＣＨを検出し、検出されたグループ共通ＰＤＣＣＨでグループＵＥ共通情報を受信し、グループＵＥ共通情報のフィールド１からＣＣ１のグループＵＥ共通情報を取得し、検出されたグループ共通ＰＤＣＣＨでグループＵＥ共通情報を受信し、グループＵＥ共通情報のフィールド２からＣＣ２のグループＵＥ共通情報を取得し、検出されたグループ共通ＰＤＣＣＨでグループＵＥ共通情報を受信し、グループＵＥ共通情報のフィールド３からＣＣ３のグループＵＥ共通情報を取得し、検出されたグループ共通ＰＤＣＣＨでグループＵＥ共通情報を受信し、グループＵＥ共通情報のフィールド４からＣＣ４のグループＵＥ共通情報を取得する。
【０１５７】
基地局は、ＵＥ２に情報２を送信する。情報は、方式１から方式４のうちいずれか１つで、ＣＣ５の少なくとも１つのグループ共通ＰＤＣＣＨを検出するようにＵＥ２に命令するために用いられ得る。方式２で説明されるケースが、一例として用いられる。情報２は、ＵＥ２用に構成されるＣＣのインデックス値と、グループ共通ＰＤＣＣＨを搬送するＣＣのインデックス値と、グループ共通ＰＤＣＣＨに含まれるフィールドとの間の対応関係を含み得る。従って、情報２を用いて、ＵＥ２は、グループ共通ＰＤＣＣＨが検出されるＣＣを決定し得て、検出されたグループ共通ＰＤＣＣＨで搬送されるグループＵＥ共通情報内にあり、特定のＣＣのグループＵＥ共通情報を含むフィールドを、例えば、表８に示されるように決定し得る。
［表８］
【表８】
2020533871.tif 000010
【０１５８】
情報２を受信した後、ＵＥ２は、情報２に従って、ＣＣ５におけるグループ共通ＰＤＣＣＨを検出し、検出されたグループ共通ＰＤＣＣＨでグループＵＥ共通情報を受信し、グループＵＥ共通情報のフィールド１からＣＣ５のグループＵＥ共通情報を取得し、検出されたグループ共通ＰＤＣＣＨでグループＵＥ共通情報を受信し、グループＵＥ共通情報のフィールド２からＣＣ６のグループＵＥ共通情報を取得し、検出されたグループ共通ＰＤＣＣＨでグループＵＥ共通情報を受信し、グループＵＥ共通情報のフィールド３からＣＣ７のグループＵＥ共通情報を取得し、検出されたグループ共通ＰＤＣＣＨでグループＵＥ共通情報を受信し、グループＵＥ共通情報のフィールド４からＣＣ８のグループＵＥ共通情報を取得する。
【０１５９】
上述の解決手段を用いることにより、ＵＥは、基地局により示されるＣＣのグループ共通ＰＤＣＣＨを検出するだけでよく、グループ共通ＰＤＣＣＨで、ＵＥ用に構成されるグループＵＥ共通情報を取得し、それによりＵＥのブラインド検出回数を低減し、ＵＥの電力消費を低減する。
【０１６０】
加えて、本願のこの実施形態において、ＵＥ用にＣＣを構成する前に、基地局は、グループＵＥ共通情報を搬送するために用いられるグループ共通ＰＤＣＣＨが位置するＣＣを決定し得て、その結果、ＵＥ用のＣＣ構成の間、基地局は、ＵＥ用に構成されるＣＣがグループ共通ＰＤＣＣＨを搬送するＣＣを含むことを保証するだけでよく、必ずしも各ＵＥ用に特定のＣＣを構成する必要はない。従って、ＵＥ用のＣＣ構成の柔軟性は、実施形態１と比較して改善される。
【０１６１】
例えば、基地局により占有される全てのＣＣは、ＣＣグループ１とＣＣグループ２との２つのＣＣグループに分割され、ＣＣグループ１に含まれるＣＣが、ＣＣグループ２に含まれるＣＣと重なる（ｏｖｅｒｌａｐ）。具体的に、ＣＣグループ１はＣＣ１からＣＣ４を含み、ＣＣグループ２はＣＣ４からＣＣ７を含む。ＣＣグループ１はＵＥグループ１用に構成され、ＣＣグループ２はＵＥグループ２用に構成される。
【０１６２】
第１の構成方式において、グループ共通ＰＤＣＣＨは共通ＣＣで搬送され、第２の構成方式において、グループ共通ＰＤＣＣＨは非共通ＣＣで搬送される。
【０１６３】
第２の可能な方式の第１の構成方式において、グループ共通ＰＤＣＣＨが共通ＣＣで搬送されるということは、以下のように説明される。
【０１６４】
図８を参照すると、ＣＣ４は、ＣＣグループ１およびＣＣグループ２の共通ＣＣである。ＣＣ４は、グループ共通ＰＤＣＣＨを搬送するために用いられ、ＣＣ４のグループ共通ＰＤＣＣＨは、ＣＣグループ１とＣＣグループ２とにおけるＣＣのグループＵＥ共通情報を搬送するために用いられる。従って、ＣＣ４は、ＣＣグループ１のグループＵＥ共通情報とＣＣグループ２のグループＵＥ共通情報とを示すためにそれぞれ用いられる２つのグループ共通ＰＤＣＣＨを搬送し得る。
【０１６５】
これに基づいて、２つのグループ共通ＰＤＣＣＨで搬送されるグループＵＥ共通情報は、ＣＣグループ１の識別情報とＣＣグループ２の識別情報とを用いてそれぞれスクランブルされてもよく、または２つのグループ共通ＰＤＣＣＨで搬送されるグループＵＥ共通情報は、ＣＣグループ１が割り当てられるＵＥグループ１の識別情報とＣＣグループ２が割り当てられるＵＥグループ２の識別情報とを用いてそれぞれスクランブルされてもよく、または２つのグループ共通ＰＤＣＣＨで搬送されるグループＵＥ共通情報は、ＣＣグループ１が割り当てられる任意のＵＥの識別情報とＣＣグループ２が割り当てられる任意のＵＥの識別情報とを用いてそれぞれスクランブルされてもよく、２つのグループ共通ＰＤＣＣＨで搬送されるグループＵＥ共通情報は、ネットワーク側に構成される識別情報（識別情報は、２つのグループ共通ＰＤＣＣＨで搬送されるグループＵＥ共通情報を区別すべく、ＣＣグループ１が割り当てられるＵＥグループ１のＵＥと、ＣＣグループ２が割り当てられるＵＥグループ２のＵＥに別々通知される必要がある）を用いてそれぞれスクランブルされてもよい。
【０１６６】
この構成方式に基づいて、基地局は、ＵＥグループ１の各ＵＥに情報１を送信し、ＵＥグループ２の各ＵＥに情報２を送信する。以下は、例として、ＵＥグループ１のＵＥ１とＵＥグループ２のＵＥ２とを用いる。基地局はＵＥ１に情報１を送信し、ここで、情報１は、ＣＣ４のグループ共通ＰＤＣＣＨを検出するようにＵＥ１に命令するために用いられる。具体的に、情報１は、ＵＥ１用に構成されるＣＣのインデックス値と、グループ共通ＰＤＣＣＨを搬送するＣＣのインデックス値と、グループＵＥ共通情報のフィールドと、グループＵＥ共通情報をスクランブルするために用いられる識別情報との間の対応関係を含み得る。従って、情報１を用いて、ＵＥ１は、グループ共通ＰＤＣＣＨが検出されるＣＣと、グループＵＥ共通情報をデスクランブルするために用いられる識別情報とを決定し得て、デスクランブルされたグループＵＥ共通情報内にあり、特定のＣＣのグループＵＥ共通情報を含むフィールドを、例えば表９に示されるように決定し得る。
［表９］
【表９】
2020533871.tif 000011
【０１６７】
基地局はＵＥ２に情報２を送信し、ここで、情報２は、ＣＣ４のグループ共通ＰＤＣＣＨを検出するようにＵＥ２に命令するために用いられる。具体的に、情報２は、ＵＥ２用に構成されるＣＣのインデックス値と、グループ共通ＰＤＣＣＨを搬送するＣＣのインデックス値と、グループＵＥ共通情報のフィールドと、グループＵＥ共通情報をスクランブルするために用いられる識別情報との間の対応関係を含み得る。従って、情報２を用いて、ＵＥ２は、グループ共通ＰＤＣＣＨが検出されるＣＣと、グループＵＥ共通情報をデスクランブルするために用いられる識別情報とを決定し得て、デスクランブルされたグループＵＥ共通情報内にあり、特定のＣＣのグループＵＥ共通情報を含むフィールドを、例えば表１０に示されるように決定し得る。
［表１０］
【表１０】
2020533871.tif 000012
【０１６８】
もちろん、第２の可能な方式の第１の構成方式において、ＣＣ４には１つのグループ共通ＰＤＣＣＨのみが存在してよい。グループ共通ＰＤＣＣＨは、グループＵＥ共通情報を搬送するために用いられ、グループＵＥ共通情報は、ＣＣグループ１のＣＣのグループＵＥ共通情報を示し、ＣＣグループ２に含まれるＣＣのグループＵＥ共通情報を示すために用いられる。グループＵＥ共通情報は、ＣＣグループ１とＣＣグループ２との共通の識別情報を用いてスクランブルされてもよく、またはグループＵＥ共通情報は、ＣＣグループ１が割り当てられるＵＥグループ１とＣＣグループ２が割り当てられるＵＥグループ２との共通の識別情報を用いてスクランブルされてもよく、またはグループＵＥ共通情報は、ＣＣグループ１が割り当てられる任意のＵＥの識別情報あるいはＣＣグループ２が割り当てられる任意のＵＥの識別情報を用いてスクランブルされてもよく、またはグループＵＥ共通情報は、ネットワーク側に構成される識別情報（識別情報は、ＣＣグループ１が割り当てられるＵＥグループ１のＵＥとＣＣグループ２が割り当てられるＵＥグループ２のＵＥとに通知される必要がある）を用いてスクランブルされてもよい。これは、本願において具体的に限定されるものではない。この場合、情報１と情報２の表示方式も、方式１から方式４のうちいずれか１つであり得て、これは本願において具体的に限定されるものではない。
【０１６９】
第２の可能な方式の第２の構成方式において、グループ共通ＰＤＣＣＨが非共通ＣＣで搬送されるということは、以下のように説明される。
【０１７０】
図９を参照すると、ＣＣ４は、ＣＣグループ１およびＣＣグループ２の共通ＣＣである。ＣＣ１とＣＣ５とは、グループ共通ＰＤＣＣＨを搬送するために用いられる。ＣＣ１のグループ共通ＰＤＣＣＨは、ＣＣ１からＣＣ４のグループＵＥ共通情報を搬送するために用いられ、ＣＣ５のグループ共通ＰＤＣＣＨは、ＣＣ４からＣＣ７のグループＵＥ共通情報を搬送するために用いられる。
【０１７１】
この構成方式に基づいて、基地局は、ＵＥグループ１の各ＵＥに情報１を送信し、ＵＥグループ２の各ＵＥに情報２を送信する。情報１は、ＣＣ１のグループ共通ＰＤＣＣＨを検出するようにＵＥグループ１の各ＵＥに命令するために用いられ、情報２は、ＣＣ５のグループ共通ＰＤＣＣＨを検出するようにＵＥグループ２の各ＵＥに命令するために用いられる。以下は、一例としてＵＥグループ１のＵＥ１を用いる。基地局はＵＥ１に情報１を送信し、ここで、情報１は、ＣＣ１のグループ共通ＰＤＣＣＨを検出するようにＵＥ１に命令するために用いられる。具体的に、情報１は、ＵＥ用に構成されるＣＣのインデックス値と、グループ共通ＰＤＣＣＨを搬送するＣＣのインデックス値と、グループ共通ＰＤＣＣＨに含まれるフィールドとの間の対応関係を含み得る。従って、情報１を用いて、ＵＥ１は、グループ共通ＰＤＣＣＨが検出されるＣＣを決定し得て、グループＵＥ共通情報内にあり、特定のＣＣのグループＵＥ共通情報を含むフィールドを、例えば、表１１に示されるように決定し得る。
［表１１］
【表１１】
2020533871.tif 000013
【０１７２】
情報１を受信した後、ＵＥ１は、情報１に従って、ＣＣ１におけるグループ共通ＰＤＣＣＨを検出し、検出されたグループ共通ＰＤＣＣＨでグループＵＥ共通情報を受信し、グループＵＥ共通情報のフィールド１からＣＣ１のグループＵＥ共通情報を取得し、検出されたグループ共通ＰＤＣＣＨでグループＵＥ共通情報を受信し、グループＵＥ共通情報のフィールド２からＣＣ２のグループＵＥ共通情報を取得し、検出されたグループ共通ＰＤＣＣＨでグループＵＥ共通情報を受信し、グループＵＥ共通情報のフィールド３からＣＣ３のグループＵＥ共通情報を取得し、検出されたグループ共通ＰＤＣＣＨでグループＵＥ共通情報を受信し、グループＵＥ共通情報のフィールド４からＣＣ４のグループＵＥ共通情報を取得する。
【０１７３】
上述の解決手段を用いることにより、ＵＥは、基地局により示されるＣＣのグループ共通ＰＤＣＣＨを検出するだけでよく、グループ共通ＰＤＣＣＨで、ＵＥ用に構成されるＣＣのグループＵＥ共通情報を取得し、それによりＵＥのブラインド検出回数を低減し、ＵＥの電力消費を低減する。
【０１７４】
加えて、本願のこの実施形態において、ＵＥ用にＣＣを構成する前に、基地局は、グループＵＥ共通情報を搬送するために用いられるグループ共通ＰＤＣＣＨが位置するＣＣを決定し得て、その結果、ＵＥ用のＣＣ構成の間、基地局は、ＵＥ用に構成されるＣＣがグループ共通ＰＤＣＣＨを搬送するＣＣを含むことを保証するだけでよく、必ずしも各ＵＥ用に特定のＣＣを構成する必要はない。従って、ＵＥ用のＣＣ構成の柔軟性は、実施形態１と比較して改善される。加えて、異なるＣＣグループにおける共通ＣＣの数が比較的多い場合、かつグループ共通ＰＤＣＣＨを搬送するために用いられるＣＣが共通ＣＣでない場合、ＵＥ用のＣＣ構成の柔軟性は、グループ共通ＰＤＣＣＨを搬送するために用いられるＣＣが共通ＣＣである方式と比較してさらに改善されて、システムロードバランシングを可能にし得る。
【０１７５】
図１０を参照すると、図１０は本願の実施形態に係る別の情報伝送方法の概略フローチャートである。当該情報伝送方法は、以下の段階を含む。
【０１７６】
Ｓ１００１．ネットワークデバイスは、端末デバイス用に構成されるＭ個のコンポーネントキャリアＣＣのグループＵＥ共通情報を生成する。
【０１７７】
Ｓ１００２．ネットワークデバイスは、Ｎ個のＣＣの少なくとも１つのグループ共通ＰＤＣＣＨで、端末デバイス用に構成されるＭ個のＣＣのグループＵＥ共通情報を端末デバイスに送信し、ここで、Ｎは正の整数であり、Ｍより小さいまたはＭに等しく、Ｍは正の整数である。
【０１７８】
Ｎ個のＣＣは、端末デバイス用に構成されるＭ個のＣＣ内にある。
【０１７９】
Ｓ１００３．端末デバイスは、Ｎ個のコンポーネントキャリアＣＣの少なくとも１つのグループ共通物理ダウンリンク制御チャネルＰＤＣＣＨを検出し、ここで、少なくとも１つのグループ共通ＰＤＣＣＨは、端末デバイス用に構成されるＭ個のＣＣのグループユーザ機器ＵＥ共通情報を示すために用いられ、Ｎは正の整数であり、Ｍより小さいまたはＭに等しく、Ｍは正の整数である。
【０１８０】
Ｓ１００４．端末デバイスは、検出された少なくとも１つのグループ共通ＰＤＣＣＨで、端末デバイス用に構成されるＭ個のＣＣのグループＵＥ共通情報を受信する。
【０１８１】
上述の解決手段を用いることにより、端末デバイスは、全てのＣＣを検出して、グループ共通ＰＤＣＣＨを取得する必要はなく、Ｎ個のコンポーネントキャリアＣＣの少なくとも１つのグループ共通ＰＤＣＣＨを検出して、端末デバイス用に構成されるＭ個のＣＣのグループＵＥ共通情報を取得するだけでよく、それにより端末デバイスのブラインド検出回数が低減し、端末デバイスの電力消費が低減する。
【０１８２】
本願のこの実施形態において、端末デバイスは、特定のＣＣの少なくとも１つのグループ共通ＰＤＣＣＨを検出する。可能な実装は静的構成方式であり、別の可能な実装は半静的構成方式である。具体的に、端末デバイスがＮ個のコンポーネントキャリアＣＣの少なくとも１つのグループ共通物理ダウンリンク制御チャネルＰＤＣＣＨを検出する前に、ネットワークデバイスは端末デバイスに第１の情報を送信し、ここで、第１の情報は、Ｎ個のＣＣの少なくとも１つのグループ共通ＰＤＣＣＨを検出するように、端末デバイスに命令するために用いられる。従って、ネットワークデバイスにより送信される第１の情報を受信した後、端末デバイスは、第１の情報に従って、Ｎ個のコンポーネントキャリアＣＣの少なくとも１つのグループ共通ＰＤＣＣＨを検出する。
【０１８３】
静的構成方式において、基地局により占有される全てのＣＣは、１つのＣＣグループ内にある。言い換えれば、全てのＣＣが１つのＣＣグループを形成する。このシナリオにおいて、基地局は、少なくとも１つのグループ共通ＰＤＣＣＨを搬送するために用いられる予定のＣＣグループのＮ個のＣＣを静的に構成し得る。基地局に含まれる全てのＣＣは、複数のＣＣグループに分割される。基地局は、少なくとも１つのグループ共通ＰＤＣＣＨを搬送するために用いられる予定の各ＣＣグループにおける１つまたは複数のＣＣを構成し、少なくとも１つのグループ共通ＰＤＣＣＨは、ＣＣグループにおける全てのＣＣのグループＵＥ共通情報を搬送するために用いられ得る。異なるＣＣグループが共通ＣＣを含む場合、グループ共通ＰＤＣＣＨは共通ＣＣで搬送され得て、グループ共通ＰＤＣＣＨは、異なるＣＣグループに含まれるＣＣのグループＵＥ共通情報を搬送するために用いられ得る。もちろん、グループ共通ＰＤＣＣＨは非共通ＣＣで搬送されてもよく、各ＣＣグループにおける１つまたは複数のＣＣは、グループ共通ＰＤＣＣＨを搬送するために用いられ、グループ共通ＰＤＣＣＨは、ＣＣグループに含まれるＣＣのグループＵＥ共通情報を搬送する。異なるＣＣグループが共通ＣＣを含む場合、各ＣＣグループにおける１つまたは複数のＣＣは、グループ共通ＰＤＣＣＨを搬送するために用いられ、グループ共通ＰＤＣＣＨは、ＣＣグループに含まれるＣＣのグループＵＥ共通情報を搬送する。具体的に、端末デバイスが少なくとも１つのグループ共通ＰＤＣＣＨを検出するＣＣを決定する間、特定の構成方式については、図４から図９に示される実施形態の構成方式を参照されたい。詳細についてはここで再度説明はしない。
【０１８４】
端末デバイスが少なくとも１つのグループ共通ＰＤＣＣＨを検出するＣＣが半静的構成方式で示される場合、特定の表示方式については、図４から図９に示される実施形態の表示方式を参照されたい。詳細についてはここで再度説明はしない。
【０１８５】
図４から図９に対応する方法の実施形態と同じ発明的概念に基づいて、本願の実施形態は情報伝送装置を提供する。装置は、ネットワークデバイスに適用される。図１１に示されるように、装置は、第１の情報を生成するように構成される生成モジュール１１０１と、端末デバイスに第１の情報を送信するように構成される送信モジュール１１０２であって、ここで、第１の情報は、Ｎ個のＣＣの少なくとも１つのグループ共通ＰＤＣＣＨを検出するように、端末デバイスに命令するために用いられ、Ｎは正の整数であり、Ｍより小さいまたはＭに等しく、Ｍは端末デバイス用に構成されるＣＣの数であり、Ｍは正の整数である、送信モジュール１１０２とを含む。
【０１８６】
任意選択的に、Ｎ個のＣＣは、端末デバイス用に構成されるＭ個のＣＣ内にある。
【０１８７】
任意選択的に、第１の情報は、Ｎ個のＣＣのインデックス値を含む。
【０１８８】
任意選択的に、グループ共通ＰＤＣＣＨは、端末デバイス用に構成されるＭ個のＣＣのグループユーザ機器ＵＥ共通情報を示すために用いられる。
【０１８９】
任意選択的に、グループＵＥ共通情報は、時間領域ユニットフォーマット情報、グループＵＥ周波数領域リソース情報、およびプリエンプション指示情報のうち少なくとも１つを含む。
【０１９０】
任意選択的に、第１の情報は、端末デバイス用に構成されるＭ個のＣＣのインデックス値と、Ｎ個のＣＣのインデックス値と、グループＵＥ共通情報に含まれるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含み得る。
【０１９１】
任意選択的に、グループＵＥ共通情報は、Ｎ個のＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。
【０１９２】
任意選択的に、送信ユニットは、ダウンリンク制御情報ＤＣＩシグナリング、無線リソース制御ＲＲＣシグナリングまたはセルブロードキャストシグナリングを用いて、端末デバイスに第１の情報を送信するように具体的に構成される。
【０１９３】
図１０に対応する方法の実施形態と同じ発明的概念に基づいて、本願の実施形態は情報伝送装置を提供する。装置は、ネットワークデバイスに適用される。図１２に示されるように、装置は、端末デバイス用に構成されるＭ個のコンポーネントキャリアＣＣのグループユーザ機器ＵＥ共通情報を生成するように構成される生成モジュール１２０１と、Ｎ個のコンポーネントキャリアＣＣの少なくとも１つのグループ共通ＰＤＣＣＨで、端末デバイス用に構成されるＭ個のＣＣのグループＵＥ共通情報を端末デバイスに送信するように構成される送信モジュール１２０２であって、ここで、Ｎは正の整数であり、Ｍより小さいまたはＭに等しく、Ｍは正の整数である、送信モジュール１２０２とを含む。
【０１９４】
任意選択的に、Ｎ個のＣＣは、端末デバイス用に構成されるＭ個のＣＣ内にある。
【０１９５】
任意選択的に、送信モジュール１２０２はさらに、第１の情報を送信するように構成され、ここで、第１の情報は、Ｎ個のＣＣの少なくとも１つのグループ共通ＰＤＣＣＨを検出するように、端末デバイスに命令するために用いられる。
【０１９６】
任意選択的に、第１の情報は、Ｎ個のＣＣのインデックス値を含む。
【０１９７】
任意選択的に、グループ共通ＰＤＣＣＨは、少なくとも１つのＣＣが位置されるＣＣグループの識別情報を用いてスクランブルされるか、またはグループＵＥ共通情報は、端末デバイスが位置する端末デバイスグループの識別情報を用いてスクランブルされるか、またはグループ共通ＰＤＣＣＨは、端末デバイスの識別情報を用いてスクランブルされる。
【０１９８】
任意選択的に、第１の情報はさらに、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含む。
【０１９９】
任意選択的に、端末デバイスに第１の情報を送信する場合、送信モジュール１２０２は、ダウンリンク制御情報ＤＣＩシグナリング、無線リソース制御ＲＲＣシグナリングまたはセルブロードキャストシグナリングを用いて、端末デバイスに第１の情報を送信するように具体的に構成される。
【０２００】
任意選択的に、グループＵＥ共通情報は、時間領域ユニットフォーマット情報、グループＵＥ周波数領域リソース情報、およびプリエンプション指示情報のうち少なくとも１つを含む。
【０２０１】
本願のこの実施形態におけるモジュール分割は一例であり、論理的な機能の区分に過ぎず、実際の実装の間には他の区分であってよい。加えて、本願の実施形態における機能モジュールは、１つのプロセッサに統合されてもよく、または物理的に単独で存在してもよく、または２つまたは２つより多くのモジュールが１つのモジュールに統合されてもよい。統合されたモジュールは、ハードウェアの形態で実装されてよく、ソフトウェア機能モジュールの形態で実装されてもよい。
【０２０２】
図１３に示されるように、ネットワークデバイスは、トランシーバ１３１０、プロセッサ１３２０およびメモリ１３３０を含み得る。図１１または図１２に示される生成モジュールと送信モジュールとの両方は、プロセッサ１３２０により制御され実装され得る。プロセッサ１３２０は、トランシーバ１３１０を用いてデータの送信および受信を行い、図３から図１０に対応する実施形態において基地局により実行される方法を実装するように構成される。実装プロセスにおいて、処理手順における段階は、プロセッサ１３２０のハードウェアの集積論理回路またはソフトウェアの形態の命令を用いて完了され得る。プロセッサ１３２０は、汎用プロセッサ、デジタル信号プロセッサ、特定用途向け集積回路、フィールドプログラマブルゲートアレイまたは別のプログラマブル論理デバイス、個別のゲートまたはトランジスタ論理デバイス、あるいは個別のハードウェアコンポーネントであり得て、本願の実施形態に開示される方法、段階および論理ブロック図を実装または実行し得る。汎用プロセッサは、マイクロプロセッサ、又は任意の従来のプロセッサなどであり得る。本願の実施形態に開示される方法の段階は、ハードウェアプロセッサにより直接実行されてもよく、またはプロセッサにおけるハードウェアおよびソフトウェアモジュールの組み合わせを用いて実行されてもよい。上述した方法を実装すべくプロセッサ１３２０により用いられるプログラムコードは、メモリ１３３０に記憶されてよい。メモリ１３３０は、ハードディスクまたはソリッドステートディスクなどの不揮発性メモリであってもよく、またはランダムアクセスメモリなどの揮発性メモリであってもよい。メモリ１３３０は、命令またはデータ構造の形態で、所望のプログラムコードを搬送または記憶するように構成され得て、コンピュータによりアクセスされ得る任意の他の媒体であるが、これに限定されるものではない。
【０２０３】
トランシーバ１３１０とプロセッサ１３２０とメモリ１３３０との間の特定の接続媒体は、本願のこの実施形態において限定されるものではない。本願のこの実施形態において、メモリ１３３０、プロセッサ１３２０およびトランシーバ１３１０は、図１３におけるバス１３４０を用いて接続される。バスは、図１３において太線を用いて表される。他のコンポーネント間の接続の方式は、説明のための一例に過ぎず、限定を加えるものではない。バスは、アドレスバス、データバスおよびコントロールバスなどに分類され得る。表示を簡単にするために、バスは図１３において１つの太線のみを用いて示される。しかしながら、これは１つのバスのみまたは１つのタイプのバスのみが存在することを示すものではない。
【０２０４】
図３から図９に示される実施形態と同じ発明的概念に基づいて、本願の実施形態は情報伝送装置を提供する。装置は、端末デバイスに適用される。図１４に示されるように、装置は、ネットワークデバイスにより送信される第１の情報を受信するように構成される受信モジュール１４０１であって、ここで、第１の情報は、Ｎ個のコンポーネントキャリアＣＣの少なくとも１つのグループ共通物理ダウンリンク制御チャネルＰＤＣＣＨを検出するように、端末デバイスに命令するために用いられ、Ｎは正の整数であり、Ｍより小さいまたはＭに等しく、Ｍは端末デバイス用に構成されるＣＣの数であり、Ｍは正の整数である、受信モジュール１４０１と、第１の情報に従ってＮ個のＣＣの少なくとも１つのグループ共通物理ダウンリンク制御チャネルＰＤＣＣＨを検出するように構成される検出モジュール１４０２とを含む。
【０２０５】
任意選択的に、Ｎ個のＣＣは、端末デバイス用に構成されるＭ個のＣＣ内にある。
【０２０６】
任意選択的に、第１の情報は、Ｎ個のＣＣのインデックス値を含む。
【０２０７】
任意選択的に、グループ共通ＰＤＣＣＨは、端末デバイス用に構成されるＭ個のＣＣのグループユーザ機器ＵＥ共通情報を示すために用いられる。
【０２０８】
検出モジュール１４０２は、端末デバイス用に構成されるＭ個のＣＣのグループＵＥ共通情報であって、少なくとも１つのグループ共通ＰＤＣＣＨで搬送されるグループＵＥ共通情報を、第１の情報に従ってＮ個のＣＣで取得するように具体的に構成される。
【０２０９】
任意選択的に、グループＵＥ共通情報は、時間領域ユニットフォーマット情報、グループＵＥ周波数領域リソース情報、およびプリエンプション指示情報のうち少なくとも１つを含む。
【０２１０】
任意選択的に、第１の情報は、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含む。
【０２１１】
任意選択的に、グループＵＥ共通情報は、少なくとも１つのＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。
【０２１２】
任意選択的に、受信モジュール１４０１は、ネットワークデバイスにより送信されるダウンリンク制御情報ＤＣＩシグナリングを受信し、ここで、ＤＣＩシグナリングは第１の情報を搬送すること、またはネットワークデバイスにより送信される無線リソース制御ＲＲＣシグナリングを受信し、ここで、ＲＲＣシグナリングは第１の情報を搬送すること、またはネットワークデバイスにより送信されるセルブロードキャストシグナリングを受信し、ここで、ＲＲＣシグナリングは第１の情報を搬送することを行うように具体的に構成される。
【０２１３】
図１０に示される実施形態と同じ発明的概念に基づいて、本願の実施形態は情報伝送装置を提供する。装置は、端末デバイスに適用される。図１５に示されるように、装置は、Ｎ個のコンポーネントキャリアＣＣの少なくとも１つのグループ共通物理ダウンリンク制御チャネルＰＤＣＣＨを検出するように構成される検出モジュール１５０１であって、ここで、少なくとも１つのグループ共通ＰＤＣＣＨは、端末デバイス用に構成されるＭ個のＣＣのグループユーザ機器ＵＥ共通情報を示すために用いられ、Ｎは正の整数であり、Ｍより小さいまたはＭに等しく、Ｍは正の整数である、検出モジュール１５０１と、検出された少なくとも１つのグループ共通ＰＤＣＣＨで、端末デバイス用に構成されるＭ個のＣＣのグループＵＥ共通情報を、受信するように構成される受信モジュール１５０２とを含む。
【０２１４】
任意選択的に、Ｎ個のＣＣは、端末デバイス用に構成されるＭ個のＣＣ内にある。
【０２１５】
任意選択的に、受信モジュール１５０２はさらに、ネットワークデバイスにより送信される第１の情報を受信するように構成され、ここで、第１の情報は、Ｎ個のＣＣの少なくとも１つのグループ共通ＰＤＣＣＨを検出するように、端末デバイスに命令するために用いられ、検出モジュール１５０１は、第１の情報に従って、Ｎ個のコンポーネントキャリアＣＣの少なくとも１つのグループ共通ＰＤＣＣＨを検出するように具体的に構成される。
【０２１６】
任意選択的に、第１の情報は、Ｎ個のＣＣのインデックス値を含む。
【０２１７】
任意選択的に、グループＵＥ共通情報は、Ｎ個のＣＣが位置されるＣＣグループの識別情報を用いてスクランブルされるか、またはグループＵＥ共通情報は、端末デバイスが位置する端末デバイスグループの識別情報を用いてスクランブルされるか、またはグループＵＥ共通情報は、端末デバイスの識別情報を用いてスクランブルされる。
【０２１８】
任意選択的に、第１の情報はさらに、端末デバイス用に構成されるＭ個のＣＣのインデックス値と、Ｎ個のＣＣのインデックス値と、グループＵＥ共通情報におけるフィールドとの間の対応関係、または端末デバイス用に構成されるＭ個のＣＣのインデックス値と、Ｎ個のＣＣのインデックス値と、グループＵＥ共通情報におけるフィールドと、グループＵＥ共通情報のスクランブリングに用いられる識別情報との間の対応関係を含む。
【０２１９】
任意選択的に、ネットワークデバイスにより送信される第１の情報を受信する場合、受信モジュール１５０２は、ネットワークデバイスにより送信されるダウンリンク制御情報ＤＣＩシグナリングを受信し、ここで、ＤＣＩシグナリングは第１の情報を搬送すること、またはネットワークデバイスにより送信される無線リソース制御ＲＲＣシグナリングを受信し、ここで、ＲＲＣシグナリングは第１の情報を搬送すること、またはネットワークデバイスにより送信されるセルブロードキャストシグナリングを受信し、ここで、ＲＲＣシグナリングは第１の情報を搬送することを行うように具体的に構成される。
【０２２０】
任意選択的に、グループＵＥ共通情報は、時間領域ユニットフォーマット情報、グループＵＥ周波数領域リソース情報、およびプリエンプション指示情報のうち少なくとも１つを含む。
【０２２１】
本願のこの実施形態におけるモジュール分割は一例であり、論理的な機能の区分に過ぎず、実際の実装の間には他の区分であってよい。加えて、本願の実施形態における機能モジュールは、１つのプロセッサに統合されてもよく、または物理的に単独で存在してもよく、または２つまたは２つより多くのモジュールが１つのモジュールに統合されてもよい。統合されたモジュールは、ハードウェアの形態で実装されてよく、ソフトウェア機能モジュールの形態で実装されてもよい。
【０２２２】
図１６に示されるように、端末デバイスは、トランシーバ１６１０、プロセッサ１６２０およびメモリ１６３０を含み得る。上述の図１４または図１５に示される受信モジュール１５０２と検出モジュール１５０１との両方は、プロセッサ１６２０により実装され得る。プロセッサ１６２０は、トランシーバ１６１０を用いてデータを送信および受信を行い、図３から図１０における端末デバイスまたはＵＥにより実行される方法を実装するように構成される。実装プロセスにおいて、処理手順における段階は、プロセッサ１６２０のハードウェアの集積論理回路またはソフトウェアの形態の命令を用いて完了され得る。プロセッサ１６２０は、汎用プロセッサ、デジタル信号プロセッサ、特定用途向け集積回路、フィールドプログラマブルゲートアレイまたは別のプログラマブル論理デバイス、個別のゲートまたはトランジスタ論理デバイス、あるいは個別のハードウェアコンポーネントであり得て、本願の実施形態に開示される方法、段階および論理ブロック図を実装または実行し得る。汎用プロセッサは、マイクロプロセッサ、又は任意の従来のプロセッサなどであり得る。本願の実施形態に開示される方法の段階は、ハードウェアプロセッサにより直接実行されてもよく、またはプロセッサにおけるハードウェアおよびソフトウェアモジュールの組み合わせを用いて実行されてもよい。上述した方法を実装すべくプロセッサ１６２０により用いられるプログラムコードは、メモリ１６３０に記憶されてよい。メモリ１６３０は、ハードディスク（英語：ｈａｒｄ  ｄｉｓｋ  ｄｒｉｖｅ，略してＨＤＤ）またはソリッドステートドライブ（英語：ｓｏｌｉｄ−ｓｔａｔｅ  ｄｒｉｖｅ，略してＳＳＤ）などの不揮発性メモリであってもよく、またはランダムアクセスメモリ（英語：ｒａｎｄｏｍ−ａｃｃｅｓｓ  ｍｅｍｏｒｙ，略してＲＡＭ）などの揮発性メモリ（英語：ｖｏｌａｔｉｌｅ  ｍｅｍｏｒｙ）であってもよい。メモリ１６３０は、命令またはデータ構造の形態で、所望のプログラムコードを搬送または記憶するように構成され得て、コンピュータによりアクセスされ得る任意の他の媒体であるが、これに限定されるものではない。
【０２２３】
トランシーバ１６１０とプロセッサ１６２０とメモリ１６３０との間の特定の接続媒体は、本願のこの実施形態において限定されるものではない。本願のこの実施形態において、メモリ１６３０、プロセッサ１６２０およびトランシーバ１６１０は、図１６におけるバス１６４０を用いて接続される。バスは、図１６において太線を用いて表される。他のコンポーネント間の接続の方式は、説明のための一例に過ぎず、限定を加えるものではない。バスは、アドレスバス、データバスおよびコントロールバスなどに分類され得る。表示を簡単にするために、バスは図１６において１つの太線のみを用いて示される。しかしながら、これは１つのバスのみまたは１つのタイプのバスのみが存在することを示すものではない。
【０２２４】
上述の実施形態に基づいて、本願の実施形態は、コンピュータ記憶媒体をさらに提供する。記憶媒体はソフトウェアプログラムを記憶し、１つまたは複数のプロセッサにより読み込みおよび実行が行われる場合、ソフトウェアプログラムは、上述の実施形態において提供される方法を実装し得る。コンピュータ記憶媒体は、ＵＳＢフラッシュドライブ、リムーバブルハードディスク、リードオンリメモリ、ランダムアクセスメモリ、磁気ディスクまたは光ディスクなどの、プログラムコードを記憶できる任意の媒体を含み得る。
【０２２５】
上述の実施形態に基づいて、本願の実施形態は、チップシステムをさらに提供する。チップシステムは、チップを含んでもよく、またはチップおよび別のディスクリートデバイスを含んでもよい。チップシステムは、ネットワークデバイスに適用されてもよく、または端末デバイスに適用されてもよい。ネットワークデバイスに適用される場合、チップシステムは、分散型ユニット、集中型ユニットおよびネットワークデバイスをサポートするように構成され、上述の実施形態における機能、例えば、上述した方法におけるデータおよび／または情報の生成または処理を実装するプロセッサを含む。任意選択的に、チップシステムはメモリをさらに含み、当該メモリは、分散型ユニット、集中型ユニットおよび端末デバイスに必要なプログラム命令およびデータを記憶するように構成される。チップにより処理されるデータおよび／または情報は端末デバイスから受信されてよく、処理済みのデータおよび／または情報は、端末デバイスに送信されてもよいことを理解されたい。端末デバイスに適用される場合、チップシステムは、分散型ユニット、集中型ユニットおよび端末デバイスをサポートするように構成され、上述の実施形態における機能、例えば、上述した方法におけるデータおよび／または情報の生成または処理を実装するプロセッサを含む。任意選択的に、チップシステムはメモリをさらに含み、当該メモリは、分散型ユニット、集中型ユニットおよび端末デバイスに必要なプログラム命令およびデータを記憶するように構成される。チップにより処理されるデータおよび／または情報はネットワークデバイスから受信されてよく、処理済みのデータおよび／または情報は、ネットワークデバイスに送信されてもよいことを理解されたい。
【０２２６】
当業者であれば、本願の実施形態が、方法、システムまたはコンピュータプログラムプロダクトとして提供されてよいことを理解されたい。従って、本願は、ハードウェアのみの実施形態、ソフトウェアのみの実施形態、または、ソフトウェアとハードウェアとの組み合わせによる実施形態の形を用いてよい。さらに、本願は、コンピュータで使用可能なプログラムコードを含む１または複数のコンピュータで使用可能な記憶媒体（限定されないが、ディスクメモリ、ＣＤ-ＲＯＭ、光メモリなどを含む）上に実装されたコンピュータプログラムプロダクトの形態を用いてよい。
【０２２７】
本願は、本願による方法、デバイス（システム）、およびコンピュータプログラムプロダクトの、フローチャートおよび／またはブロック図を参照して説明される。コンピュータプログラム命令を用いて、フローチャートおよび／またはブロック図内の各プロセスおよび／または各ブロック、並びに、フローチャートおよび／またはブロック図内のプロセスおよび／またはブロックの組み合わせを実装してよいことを理解されたい。これらのコンピュータプログラム命令は、汎用コンピュータ、専用コンピュータ、組み込みプロセッサ、または任意の他のプログラム可能なデータ処理デバイスのプロセッサに提供されて、マシンを生成してよく、その結果、コンピュータまたは任意の他のプログラム可能なデータ処理デバイスのプロセッサによって実行される命令が、フローチャート内の１または複数のプロセスおよび／またはブロック図内の１または複数のブロックにおける特定の機能を実装するための装置を生成する。
【０２２８】
これらのコンピュータプログラム命令は、コンピュータ可読メモリ内に記憶されてよく、当該命令は、コンピュータまたは任意の他のプログラム可能なデータ処理デバイスに対し、特定の方式で動作するよう命令可能であり、その結果、コンピュータ可読メモリ内に記憶された命令は、命令装置を含むアーチファクトを生成する。命令装置は、フローチャート内の１または複数のプロセス、および／または、ブロック図内の１または複数のブロックにおける特定の機能を実装する。
【０２２９】
また、これらのコンピュータプログラム命令は、コンピュータまたは別のプログラム可能なデータ処理デバイスにロードされてよく、その結果、一連の操作および段階がコンピュータまたは別のプログラム可能なデバイス上で実行され、それにより、コンピュータで実装される処理を生成する。従って、コンピュータまたは別のプログラム可能なデバイス上で実行される命令は、フローチャート内の１または複数のプロセス、および／または、ブロック図内の１または複数のブロックにおける特定の機能を実装するための段階を提供する。
【０２３０】
当業者であれば、本願の思想および範囲から逸脱することなく、本願に様々な修正形態および変形形態を施し得ることが明らかである。本願は、以下の特許請求の範囲によって定義される保護範囲内およびその同等な技術に含まれる限り、本願のこれらの修正形態および変形形態を包含することを意図する。
【図１】
2020533871.tif 000014
【図２】
2020533871.tif 000015
【図３】
2020533871.tif 000016
【図４】
2020533871.tif 000017
【図５】
2020533871.tif 000018
【図６】
2020533871.tif 000019
【図７】
2020533871.tif 000020
【図８】
2020533871.tif 000021
【図９】
2020533871.tif 000022
【図１０】
2020533871.tif 000023
【図１１】
2020533871.tif 000024
【図１２】
2020533871.tif 000025
【図１３】
2020533871.tif 000026
【図１４】
2020533871.tif 000027
【図１５】
2020533871.tif 000028
【図１６】
2020533871.tif 000029
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
情報伝送方法であって、
ネットワークデバイスが第１の情報を生成する段階と、
前記ネットワークデバイスが、端末デバイスに前記第１の情報を送信する段階であって、前記第１の情報は、Ｎ個のコンポーネントキャリアＣＣの少なくとも１つのグループ共通物理ダウンリンク制御チャネルＰＤＣＣＨを検出するように、前記端末デバイスに命令するために用いられ、Ｎは正の整数でありＭより小さいまたはＭに等しく、Ｍは前記端末デバイス用に構成されるＣＣの数であり、Ｍは正の整数である、送信する段階と、
を備える、
方法。
【請求項２】
前記Ｎ個のＣＣは、前記端末デバイス用に構成されるＭ個のＣＣ内にある、
請求項１に記載の方法。
【請求項３】
前記第１の情報は、前記Ｎ個のＣＣのインデックス値を有する、
請求項１または２に記載の方法。
【請求項４】
グループ共通ＰＤＣＣＨは、前記端末デバイス用に構成されるＭ個のＣＣのグループユーザ機器ＵＥ共通情報を示すために用いられる、
請求項１から３の何れか一項に記載の方法。
【請求項５】
前記グループＵＥ共通情報は、時間領域ユニットフォーマット情報、グループＵＥ周波数領域リソース情報、およびプリエンプション指示情報のうち少なくとも１つを含む、
請求項４に記載の方法。
【請求項６】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項４または５に記載の方法。
【請求項７】
前記グループＵＥ共通情報は、前記Ｎ個のＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項１から６の何れか一項に記載の方法。
【請求項８】
前記ネットワークデバイスが前記第１の情報を端末デバイスに送信する前記段階は、
前記ネットワークデバイスが、ダウンリンク制御情報ＤＣＩシグナリング、無線リソース制御ＲＲＣシグナリング、またはセルブロードキャストシグナリングを用いて、前記第１の情報を前記端末デバイスに送信する段階を有する、
請求項１から７の何れか一項に記載の方法。
【請求項９】
情報伝送方法であって、
端末デバイスがネットワークデバイスにより送信された第１の情報を受信する段階であって、前記第１の情報は、Ｎ個のコンポーネントキャリアＣＣの少なくとも１つのグループ共通物理ダウンリンク制御チャネルＰＤＣＣＨを検出するように、前記端末デバイスに命令するために用いられ、Ｎは正の整数であり、Ｍより小さいまたはＭに等しく、Ｍは前記端末デバイス用に構成されるＣＣの数であり、Ｍは正の整数である、受信する段階と、前記端末デバイスが、前記第１の情報に従って、前記Ｎ個のＣＣの前記少なくとも１つのグループ共通物理ダウンリンク制御チャネルＰＤＣＣＨを検出する段階と、
を備える、
方法。
【請求項１０】
前記Ｎ個のＣＣは、前記端末デバイス用に構成されるＭ個のＣＣ内にある、
請求項９に記載の方法。
【請求項１１】
前記第１の情報は、前記Ｎ個のＣＣのインデックス値を有する、
請求項９または１０に記載の方法。
【請求項１２】
グループ共通ＰＤＣＣＨは、前記端末デバイス用に構成されるＭ個のＣＣのグループユーザ機器ＵＥ共通情報を示すために用いられ、
前記端末デバイスが、前記第１の情報に従って前記Ｎ個のＣＣの前記少なくとも１つのグループ共通ＰＤＣＣＨを検出する前記段階は、
前記Ｎ個のＣＣにおける前記端末デバイスが、前記第１の情報に従って、前記端末デバイス用に構成される前記Ｍ個のＣＣの前記グループＵＥ共通情報であって、前記少なくとも１つのグループ共通ＰＤＣＣＨで搬送される前記グループＵＥ共通情報を取得する段階を有する、
請求項９から１１の何れか一項に記載の方法。
【請求項１３】
前記グループＵＥ共通情報は、時間領域ユニットフォーマット情報、グループＵＥ周波数領域リソース情報、およびプリエンプション指示情報のうち少なくとも１つを含む、
請求項１２に記載の方法。
【請求項１４】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項１２または１３に記載の方法。
【請求項１５】
前記グループＵＥ共通情報は、前記少なくとも１つのＣＣが位置されるＣＣグループの識別情報を用いてスクランブルされるか、または前記グループＵＥ共通情報は、前記端末デバイスが位置される端末デバイスグループの識別情報を用いてスクランブルされるか、またはグループ共通ＰＤＣＣＨは、前記端末デバイスの識別情報を用いてスクランブルされる、
請求項９から１４の何れか一項に記載の方法。
【請求項１６】
端末デバイスが、ネットワークデバイスにより送信される第１の情報を受信する前記段階は、
前記端末デバイスが、前記ネットワークデバイスにより送信されるダウンリンク制御情報（ＤＣＩ）シグナリングを受信する段階であって、前記ＤＣＩシグナリングは前記第１の情報を搬送する、受信する段階、または、
前記端末デバイスが、前記ネットワークデバイスにより送信される無線リソース制御（ＲＲＣ）シグナリングを受信する段階であって、前記ＲＲＣシグナリングは前記第１の情報を搬送する、受信する段階、または、
前記端末デバイスが、前記ネットワークデバイスにより送信されるセルブロードキャストシグナリングを受信する段階であって、前記ＲＲＣシグナリングは前記第１の情報を搬送する、受信する段階
を有する、
請求項９から１５の何れか一項に記載の方法。
【請求項１７】
情報伝送方法であって、
ネットワークデバイスが、端末デバイス用に構成されるＭ個のコンポーネントキャリアＣＣのグループユーザ機器ＵＥ共通情報を生成する段階と、
前記ネットワークデバイスが、Ｎ個のコンポーネントキャリアＣＣの少なくとも１つのグループ共通物理ダウンリンク制御チャネルＰＤＣＣＨで、前記端末デバイス用に構成される前記Ｍ個のＣＣの前記グループＵＥ共通情報を前記端末デバイスに送信する段階であって、Ｎは正の整数であり、Ｍより小さいまたはＭに等しく、Ｍは正の整数である、送信する段階と
を備える、
方法。
【請求項１８】
前記Ｎ個のＣＣは、前記端末デバイス用に構成される前記Ｍ個のＣＣ内にある、
請求項１７に記載の方法。
【請求項１９】
前記方法はさらに、
前記ネットワークデバイスが第１の情報を送信する段階であって、前記第１の情報は、前記Ｎ個のＣＣの前記少なくとも１つのグループ共通ＰＤＣＣＨを検出するように、前記端末デバイスに命令するために用いられる、送信する段階を備える、
請求項１７または１８に記載の方法。
【請求項２０】
前記第１の情報は、前記Ｎ個のＣＣのインデックス値を有する、
請求項１９に記載の方法。
【請求項２１】
前記グループＵＥ共通情報は、前記少なくとも１つのＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項１９または２０に記載の方法。
【請求項２２】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項１９から２１の何れか一項に記載の方法。
【請求項２３】
前記ネットワークデバイスが第１の情報を前記端末デバイスに送信する前記段階は、
前記ネットワークデバイスが、ダウンリンク制御情報ＤＣＩシグナリング、無線リソース制御ＲＲＣシグナリング、またはセルブロードキャストシグナリングを用いて、前記第１の情報を前記端末デバイスに送信する段階を有する、
請求項１９から２２の何れか一項に記載の方法。
【請求項２４】
前記グループＵＥ共通情報は、時間領域ユニットフォーマット情報、グループＵＥ周波数領域リソース情報、およびプリエンプション指示情報のうち少なくとも１つを含む、
請求項１７から２３の何れか一項に記載の方法。
【請求項２５】
情報伝送方法であって、
端末デバイスが、Ｎ個のコンポーネントキャリアＣＣの少なくとも１つのグループ共通物理ダウンリンク制御チャネルＰＤＣＣＨを検出する段階であって、前記少なくとも１つのグループ共通ＰＤＣＣＨは、前記端末デバイス用に構成されるＭ個のＣＣのグループユーザ機器ＵＥ共通情報を示すために用いられ、Ｎは正の整数であり、Ｍより小さいまたはＭに等しく、Ｍは正の整数である、検出する段階と、
前記端末デバイスが、検出された前記少なくとも１つのグループ共通ＰＤＣＣＨで、前記端末デバイス用に構成される前記Ｍ個のＣＣの前記グループＵＥ共通情報を受信する段階と
を備える、方法。
【請求項２６】
前記Ｎ個のＣＣは、前記端末デバイス用に構成される前記Ｍ個のＣＣ内にある、
請求項２５に記載の方法。
【請求項２７】
端末デバイスが、Ｎ個のコンポーネントキャリアＣＣの少なくとも１つのグループ共通物理ダウンリンク制御チャネルＰＤＣＣＨを検出する前記段階の前に、前記方法はさらに、
前記端末デバイスが、ネットワークデバイスにより送信される第１の情報を受信する段階であって、前記第１の情報は、前記Ｎ個のＣＣの前記少なくとも１つのグループ共通ＰＤＣＣＨを検出するように、前記端末デバイスに命令するために用いられる、受信する段階
を備え、
端末デバイスが、Ｎ個のコンポーネントキャリアＣＣの少なくとも１つのグループ共通物理ダウンリンク制御チャネルＰＤＣＣＨを検出する前記段階は、
前記端末デバイスが、前記第１の情報に従って前記少なくとも１つのグループ共通ＰＤＣＣＨを前記Ｎ個のコンポーネントキャリアＣＣで検出する段階
を備える、
請求項２５または２６に記載の方法。
【請求項２８】
前記第１の情報は、前記Ｎ個のＣＣのインデックス値を有する、
請求項２７に記載の方法。
【請求項２９】
前記グループＵＥ共通情報は、前記Ｎ個のＣＣが位置されるＣＣグループの識別情報を用いてスクランブルされるか、または前記グループＵＥ共通情報は、前記端末デバイスが位置される端末デバイスグループの識別情報を用いてスクランブルされるか、または前記グループＵＥ共通情報は、前記端末デバイスの識別情報を用いてスクランブルされる、
請求項２７または２８に記載の方法。
【請求項３０】
前記第１の情報は、
前記端末デバイス用に構成される前記Ｍ個のＣＣのインデックス値と、前記Ｎ個のＣＣの前記インデックス値と、前記グループＵＥ共通情報のフィールドとの間の対応関係、または
前記端末デバイス用に構成される前記Ｍ個のＣＣのインデックス値と、前記Ｎ個のＣＣの前記インデックス値と、前記グループＵＥ共通情報のフィールドと、前記グループＵＥ共通情報のスクランブリングに用いられる識別情報との間の対応関係を有する、
請求項２７から２９の何れか一項に記載の方法。
【請求項３１】
前記端末デバイスが、前記ネットワークデバイスにより送信される第１の情報を受信する前記段階は、
前記端末デバイスが、前記ネットワークデバイスにより送信されるダウンリンク制御情報（ＤＣＩ）シグナリングを受信する段階であって、前記ＤＣＩシグナリングは前記第１の情報を搬送する、受信する段階、または、
前記端末デバイスが、前記ネットワークデバイスにより送信される無線リソース制御（ＲＲＣ）シグナリングを受信する段階であって、前記ＲＲＣシグナリングは前記第１の情報を搬送する、受信する段階、または、
前記端末デバイスが、前記ネットワークデバイスにより送信されるセルブロードキャストシグナリングを受信する段階であって、前記ＲＲＣシグナリングは前記第１の情報を搬送する、受信する段階
を有する、
請求項２７から３０の何れか一項に記載の方法。
【請求項３２】
前記グループＵＥ共通情報は、時間領域ユニットフォーマット情報、グループＵＥ周波数領域リソース情報、およびプリエンプション指示情報のうち少なくとも１つを含む、
請求項２５から３１の何れか一項に記載の方法。
【請求項３３】
トランシーバ、プロセッサ、およびメモリを備えるネットワークデバイスであって、
前記メモリは、ソフトウェアプログラムを記憶するように構成され、
前記トランシーバは、データの送信および受信を行うように構成され、
前記プロセッサは、前記メモリに記憶される前記ソフトウェアプログラムの呼び出および実行を行い、前記トランシーバを用いてデータの受信および送信を行い、
請求項１から８、および請求項１７から２４の何れか一項に記載の方法を実装するように構成される、ネットワークデバイス。
【請求項３４】
トランシーバ、プロセッサ、およびメモリを備える端末デバイスであって、
前記メモリは、ソフトウェアプログラムを記憶するように構成され、
前記トランシーバは、データの送信および受信を行うように構成され、
前記プロセッサは、前記メモリに記憶される前記ソフトウェアプログラムの呼び出および実行を行い、前記トランシーバを用いてデータの受信および送信を行い、請求項９から１６、および請求項２５から３２の何れか一項に記載の方法を実装するように構成される、
端末デバイス。
【請求項３５】
メモリに接続され、前記メモリに記憶されるソフトウェアプログラムの読み込みおよび実行を行って、請求項１から３２の何れか一項に記載の方法を実装するように構成される、
チップ。
【手続補正２】
【補正対象書類名】明細書
【補正対象項目名】００７５
【補正方法】変更
【補正の内容】
【００７５】
例えば、タイムスロットフォーマット情報（ｓｌｏｔ  ｆｏｒｍａｔ  ｒｅｌａｔｅｄ  ｉｎｆｏｒｍａｔｉｏｎ，ＳＦＩ）の場合、複数のタイムスロット（ｓｌｏｔ）構造は、５Ｇ  ＮＲシステムにおいてサポートされ得る。タイムスロットは、１つの部分または複数の部分を含み得て、例えば、アップリンク（ｕｐｌｉｎｋ，ＵＬ）伝送タイムスロットのみを含むか、またはダウンリンク（ｄｏｗｎｌｉｎｋ，ＤＬ）伝送タイムスロットのみを含むか、またはＵＬ伝送タイムスロットとＤＬ伝送タイムスロットとを含み得る。タイムスロットはさらに、受信側と送信側の両方によるアップリンク‐ダウンリンクスイッチングに用いられるガードインターバル（ｇｕａｒｄ  ｉｎｔｅｒｖａｌ，ＧＰ）を含む。代替的に、タイムスロットは不明の（ｕｎｋｎｏｗｎ）リソースまたはフレキシブル（ｆｌｅｘｉｂｌｅ）リソースを含み得る。言い換えれば、ＵＥは、リソースがＵＬ伝送またはＤＬ伝送に用いられるか、またはリソースがＵＬ伝送またはＤＬ伝送などにフレキシブルに用いられ得るかなどを認識しない。ＵＬ伝送は、ＵＬデータ伝送とＵＬ制御伝送とを含み得て、ＤＬ伝送は、ＤＬデータ伝送とＤＬ制御伝送とを含み得る。図２は、タイプ１からタイプ７にそれぞれ対応するタイムスロットを示す。従って、１つのｓｌｏｔはいくつかのパートを含み、基地局は、当該いくつかのパートにより占有されるシンボル長を端末デバイスに示す必要がある。
【手続補正３】
【補正対象書類名】明細書
【補正対象項目名】００７７
【補正方法】変更
【補正の内容】
【００７７】
端末デバイスは、無線端末または有線端末であり得る。無線端末は、ユーザに音声および／またはデータ接続性を提供するデバイス、無線接続機能を有するハンドヘルドデバイス、または無線モデムに接続される別の処理デバイスであり得る。無線端末は、無線アクセスネットワーク（英語：ｒａｄｉｏ  ａｃｃｅｓｓ  ｎｅｔｗｏｒｋ，略してＲＡＮ）によって１または複数のコアネットワークと通信し得る。無線端末は、携帯電話（「セルラ」電話とも称される）または移動端末を備えたコンピュータなどの移動端末であってよく、例えば、無線アクセスネットワークと音声および／またはデータを交換する、携帯可能なポケットサイズのハンドヘルドコンピュータ内蔵移動装置又は車載移動装置であってもよい。例えば、無線端末は、パーソナル通信サービス（英語：ｐｅｒｓｏｎａｌ  ｃｏｍｍｕｎｉｃａｔｉｏｎ  ｓｅｒｖｉｃｅ，略してＰＣＳ）電話、コードレス電話、セッション初期化プロトコル（英語：ｓｅｓｓｉｏｎ  ｉｎｉｔｉａｔｉｏｎ  ｐｒｏｔｏｃｏｌ，略してＳＩＰ）電話、無線ローカルループ（英語：ｗｉｒｅｌｅｓｓ  ｌｏｃａｌ  ｌｏｏｐ，略してＷＬＬ）ステーション、またはパーソナルデジタルアシスタント（ｐｅｒｓｏｎａｌ  ｄｉｇｉｔａｌ  ａｓｓｉｓｔａｎｔ，略してＰＤＡ）などのデバイスであり得る。無線端末は、システム、加入者ユニット（英語：ｓｕｂｓｃｒｉｂｅｒ  ｕｎｉｔ，略して  ＳＵ）、加入者ステーション（英語：ｓｕｂｓｃｒｉｂｅｒ  ｓｔａｔｉｏｎ，略してＳＳ）、移動局（英語：ｍｏｂｉｌｅ  ｓｔａｔｉｏｎ，略してＭＢ）、移動局（ｍｏｂｉｌｅ）、リモートステーション（英語：ｒｅｍｏｔｅ  ｓｔａｔｉｏｎ，略してＲＳ）、アクセスポイント（英語：ａｃｃｅｓｓ  ｐｏｉｎｔ，略してＡＰ）、リモート端末（英語：ｒｅｍｏｔｅ  ｔｅｒｍｉｎａｌ，略してＲＴ）、アクセスターミナル（英語：ａｃｃｅｓｓ  ｔｅｒｍｉｎａｌ，略してＡＴ）、ユーザ端末（英語：ｕｓｅｒ  ｔｅｒｍｉｎａｌ，略してＵＴ）、ユーザエージェント（英語：ｕｓｅｒ  ａｇｅｎｔ，略してＵＡ）、端末デバイス（英語：Ｔｅｒｍｉｎａｌ  ｄｅｖｉｃｅ，略してＴＤ）、またはユーザ機器（英語：ｕｓｅｒ  ｅｑｕｉｐｍｅｎｔ，略してＵＥ）と称されてもよい。次に、端末デバイスはＵＥと称される。
【国際調査報告】
2020533871.tif 000030
2020533871.tif 000031
2020533871.tif 000032
2020533871.tif 000033